(57)【要約】【課題】既存蒸気タービン発電は仕事率皆無の静翼を半分具備して蒸気速度を堰き止めて蒸気速度１／１０低減や、最大速度部水の４３０００倍容積等０出力発電に近い。【解決手段】仕事率皆無の静翼を半分具備して軽量蒸気速度等堰き止め＋軽量物発電で発電量を１／１０以下改善して、全動翼を横軸１ｈ歯車で二重反転する３０ｍｍＨｇ真空中水重力加速度発電としてマッハ３前後で水噴射タービン１００組重ね１台発電量を既存の１００倍発電量軸受荷重０狙いとして、燃料費０等発電原価１／１００等安価電気駆動の太陽光加熱器熱製造した電気＋液体空気＋過熱蒸気温熱供給設備３Ｄとし、自動車や船舶や飛行機等は液体酸素圧縮駆動として空気圧縮の２１／６００００容積圧縮仕事率にして、１／１０燃料費や１０倍速度とし飛行機は宇宙到達費用１／５０万狙い地球上何処でも日帰り旅行等製造物全部運用の運用利益率抜群世界一永遠にする。【選択図】図１
2013104318.tif 000002
【特許請求の範囲】
【請求項１】
夫々耐摩耗超撥水鍍金（３ａ）とした、６種類の動翼群を円筒環状組立（９Ａ）＋磁気利用軸受荷重０接近とした竪型全動翼水重力タービン（８Ｍ）１〜２０組発電にする各種エネルギ保存サイクル合体機関及び合体方法。
【請求項２】
夫々耐摩耗超撥水鍍金（３ａ）とした、６種類の動翼群を円筒環状組立（９Ａ）＋磁気利用軸受荷重０接近とした竪型全動翼水重力タービン（８Ｍ）２１〜４０組発電にする各種エネルギ保存サイクル合体機関及び合体方法。
【請求項３】
夫々耐摩耗超撥水鍍金（３ａ）とした、６種類の動翼群を円筒環状組立（９Ａ）＋磁気利用軸受荷重０接近とした竪型全動翼水重力タービン（８Ｍ）４１〜６０組発電にする各種エネルギ保存サイクル合体機関及び合体方法。
【請求項４】
夫々耐摩耗超撥水鍍金（３ａ）とした、６種類の動翼群を円筒環状組立（９Ａ）＋磁気利用軸受荷重０接近とした竪型全動翼水重力タービン（８Ｍ）６１〜８０組発電にする各種エネルギ保存サイクル合体機関及び合体方法。
【請求項５】
夫々耐摩耗超撥水鍍金（３ａ）とした、６種類の動翼群を円筒環状組立（９Ａ）＋磁気利用軸受荷重０接近とした竪型全動翼水重力タービン（８Ｍ）８１〜１００組発電にする各種エネルギ保存サイクル合体機関及び合体方法。
【請求項６】
夫々耐摩耗超撥水鍍金（３ａ）とした、６種類の動翼群を円筒環状組立（９Ａ）＋磁気利用軸受荷重０接近とした竪型全動翼水重力タービン（８Ｍ）１０１〜１２０組発電にする各種エネルギ保存サイクル合体機関及び合体方法。
【請求項７】
夫々耐摩耗超撥水鍍金（３ａ）とした、６種類の動翼群を円筒環状組立（９Ａ）＋磁気利用軸受荷重０接近とした竪型全動翼水重力タービン（８Ｍ）１２１〜１４０組発電にする各種エネルギ保存サイクル合体機関及び合体方法。
【請求項８】
夫々耐摩耗超撥水鍍金（３ａ）とした、６種類の動翼群を円筒環状組立（９Ａ）＋磁気利用軸受荷重０接近とした竪型全動翼水重力タービン（８Ｍ）１４１〜１６０組発電にする各種エネルギ保存サイクル合体機関及び合体方法。
【請求項９】
夫々耐摩耗超撥水鍍金（３ａ）とした、６種類の動翼群を円筒環状組立（９Ａ）＋磁気利用軸受荷重０接近とした竪型全動翼水重力タービン（８Ｍ）１６１〜１８０組発電にする各種エネルギ保存サイクル合体機関及び合体方法。
【請求項１０】
夫々耐摩耗超撥水鍍金（３ａ）とした、６種類の動翼群を円筒環状組立（９Ａ）＋磁気利用軸受荷重０接近とした竪型全動翼水重力タービン（８Ｍ）１８１〜２００組発電にする各種エネルギ保存サイクル合体機関及び合体方法。
【請求項１１】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する竪型全動翼水重力タービン（８Ｍ）１〜２０組発電にする各種エネルギ保存サイクル合体機関及び合体方法。
【請求項１２】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する竪型全動翼水重力タービン（８Ｍ）２１〜４０組発電にする各種エネルギ保存サイクル合体機関及び合体方法。
【請求項１３】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する竪型全動翼水重力タービン（８Ｍ）４１〜６０組発電にする各種エネルギ保存サイクル合体機関及び合体方法。
【請求項１４】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する竪型全動翼水重力タービン（８Ｍ）６１〜８０組発電にする各種エネルギ保存サイクル合体機関及び合体方法。
【請求項１５】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する竪型全動翼水重力タービン（８Ｍ）８１〜１００組発電にする各種エネルギ保存サイクル合体機関及び合体方法。
【請求項１６】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する竪型全動翼水重力タービン（８Ｍ）１０１〜１２０組発電にする各種エネルギ保存サイクル合体機関及び合体方法。
【請求項１７】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する竪型全動翼水重力タービン（８Ｍ）１２１〜１４０組発電にする各種エネルギ保存サイクル合体機関及び合体方法。
【請求項１８】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する竪型全動翼水重力タービン（８Ｍ）１４１〜１６０組発電にする各種エネルギ保存サイクル合体機関及び合体方法。
【請求項１９】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する竪型全動翼水重力タービン（８Ｍ）１６１〜１８０組発電にする各種エネルギ保存サイクル合体機関及び合体方法。
【請求項２０】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する竪型全動翼水重力タービン（８Ｍ）１８１〜２００組発電にする各種エネルギ保存サイクル合体機関及び合体方法。
【請求項２１】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する竪型全動翼水重力タービン（８Ｍ）１〜２０組発電にする各種エネルギ保存サイクル合体機関及び合体方法。
【請求項２２】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する竪型全動翼水重力タービン（８Ｍ）２１〜４０組発電にする各種エネルギ保存サイクル合体機関及び合体方法。
【請求項２３】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する竪型全動翼水重力タービン（８Ｍ）４１〜６０組発電にする各種エネルギ保存サイクル合体機関及び合体方法。
【請求項２４】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する竪型全動翼水重力タービン（８Ｍ）６１〜８０組発電にする各種エネルギ保存サイクル合体機関及び合体方法。
【請求項２５】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する竪型全動翼水重力タービン（８Ｍ）８１〜１００組発電にする各種エネルギ保存サイクル合体機関及び合体方法。
【請求項２６】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する竪型全動翼水重力タービン（８Ｍ）１０１〜１２０組発電にする各種エネルギ保存サイクル合体機関及び合体方法。
【請求項２７】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する竪型全動翼水重力タービン（８Ｍ）１２１〜１４０組発電にする各種エネルギ保存サイクル合体機関及び合体方法。
【請求項２８】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する竪型全動翼水重力タービン（８Ｍ）１４１〜１６０組発電にする各種エネルギ保存サイクル合体機関及び合体方法。
【請求項２９】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する竪型全動翼水重力タービン（８Ｍ）１６１〜１８０組発電にする各種エネルギ保存サイクル合体機関及び合体方法。
【請求項３０】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する竪型全動翼水重力タービン（８Ｍ）１８１〜２００組発電にする各種エネルギ保存サイクル合体機関及び合体方法。
【請求項３１】
夫々耐摩耗超撥水鍍金（３ａ）とした、６種類の動翼群を円筒環状組立（９Ａ）＋磁気利用軸受荷重０接近とした横軸（１ｈ）で二重反転駆動や発電機（１）駆動する竪型全動翼水重力タービン（８Ｍ）１〜２０組発電にする各種エネルギ保存サイクル合体機関及び合体方法。
【請求項３２】
夫々耐摩耗超撥水鍍金（３ａ）とした、６種類の動翼群を円筒環状組立（９Ａ）＋磁気利用軸受荷重０接近とした横軸（１ｈ）で二重反転駆動や発電機（１）駆動する竪型全動翼水重力タービン（８Ｍ）２１〜４０組発電にする各種エネルギ保存サイクル合体機関及び合体方法。
【請求項３３】
夫々耐摩耗超撥水鍍金（３ａ）とした、６種類の動翼群を円筒環状組立（９Ａ）＋磁気利用軸受荷重０接近とした横軸（１ｈ）で二重反転駆動や発電機（１）駆動する竪型全動翼水重力タービン（８Ｍ）４１〜６０組発電にする各種エネルギ保存サイクル合体機関及び合体方法。
【請求項３４】
夫々耐摩耗超撥水鍍金（３ａ）とした、６種類の動翼群を円筒環状組立（９Ａ）＋磁気利用軸受荷重０接近とした横軸（１ｈ）で二重反転駆動や発電機（１）駆動する竪型全動翼水重力タービン（８Ｍ）６１〜８０組発電にする各種エネルギ保存サイクル合体機関及び合体方法。
【請求項３５】
夫々耐摩耗超撥水鍍金（３ａ）とした、６種類の動翼群を円筒環状組立（９Ａ）＋磁気利用軸受荷重０接近とした横軸（１ｈ）で二重反転駆動や発電機（１）駆動する竪型全動翼水重力タービン（８Ｍ）８１〜１００組発電にする各種エネルギ保存サイクル合体機関及び合体方法。
【請求項３６】
夫々耐摩耗超撥水鍍金（３ａ）とした、６種類の動翼群を円筒環状組立（９Ａ）＋磁気利用軸受荷重０接近とした横軸（１ｈ）で二重反転駆動や発電機（１）駆動する竪型全動翼水重力タービン（８Ｍ）１０１〜１２０組発電にする各種エネルギ保存サイクル合体機関及び合体方法。
【請求項３７】
夫々耐摩耗超撥水鍍金（３ａ）とした、６種類の動翼群を円筒環状組立（９Ａ）＋磁気利用軸受荷重０接近とした横軸（１ｈ）で二重反転駆動や発電機（１）駆動する竪型全動翼水重力タービン（８Ｍ）１２１〜１４０組発電にする各種エネルギ保存サイクル合体機関及び合体方法。
【請求項３８】
夫々耐摩耗超撥水鍍金（３ａ）とした、６種類の動翼群を円筒環状組立（９Ａ）＋磁気利用軸受荷重０接近とした横軸（１ｈ）で二重反転駆動や発電機（１）駆動する竪型全動翼水重力タービン（８Ｍ）１４１〜１６０組発電にする各種エネルギ保存サイクル合体機関及び合体方法。
【請求項３９】
夫々耐摩耗超撥水鍍金（３ａ）とした、６種類の動翼群を円筒環状組立（９Ａ）＋磁気利用軸受荷重０接近とした横軸（１ｈ）で二重反転駆動や発電機（１）駆動する竪型全動翼水重力タービン（８Ｍ）１６１〜１８０組発電にする各種エネルギ保存サイクル合体機関及び合体方法。
【請求項４０】
夫々耐摩耗超撥水鍍金（３ａ）とした、６種類の動翼群を円筒環状組立（９Ａ）＋磁気利用軸受荷重０接近とした横軸（１ｈ）で二重反転駆動や発電機（１）駆動する竪型全動翼水重力タービン（８Ｍ）１８１〜２００組発電にする各種エネルギ保存サイクル合体機関及び合体方法。
【請求項４１】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する横軸（１ｈ）で二重反転駆動や発電機（１）駆動する竪型全動翼水重力タービン（８Ｍ）１〜２０組発電にする各種エネルギ保存サイクル合体機関及び合体方法。
【請求項４２】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する横軸（１ｈ）で二重反転駆動や発電機（１）駆動する竪型全動翼水重力タービン（８Ｍ）２１〜４０組発電にする各種エネルギ保存サイクル合体機関及び合体方法。
【請求項４３】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する横軸（１ｈ）で二重反転駆動や発電機（１）駆動する竪型全動翼水重力タービン（８Ｍ）４１〜６０組発電にする各種エネルギ保存サイクル合体機関及び合体方法。
【請求項４４】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する横軸（１ｈ）で二重反転駆動や発電機（１）駆動する竪型全動翼水重力タービン（８Ｍ）６１〜８０組発電にする各種エネルギ保存サイクル合体機関及び合体方法。
【請求項４５】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する横軸（１ｈ）で二重反転駆動や発電機（１）駆動する竪型全動翼水重力タービン（８Ｍ）８１〜１００組発電にする各種エネルギ保存サイクル合体機関及び合体方法。
【請求項４６】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する横軸（１ｈ）で二重反転駆動や発電機（１）駆動する竪型全動翼水重力タービン（８Ｍ）１０１〜１２０組発電にする各種エネルギ保存サイクル合体機関及び合体方法。
【請求項４７】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する横軸（１ｈ）で二重反転駆動や発電機（１）駆動する竪型全動翼水重力タービン（８Ｍ）１２１〜１４０組発電にする各種エネルギ保存サイクル合体機関及び合体方法。
【請求項４８】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する横軸（１ｈ）で二重反転駆動や発電機（１）駆動する竪型全動翼水重力タービン（８Ｍ）１４１〜１６０組発電にする各種エネルギ保存サイクル合体機関及び合体方法。
【請求項４９】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する横軸（１ｈ）で二重反転駆動や発電機（１）駆動する竪型全動翼水重力タービン（８Ｍ）１６１〜１８０組発電にする各種エネルギ保存サイクル合体機関及び合体方法。
【請求項５０】
夫々耐摩耗超撥水鍍金（３ａ）とした、６種類の動翼群を円筒環状組立（９Ａ）＋磁気利用軸受荷重０接近とした水（３Ｅ）マッハ１〜３で噴射駆動する横軸（１ｈ）で二重反転駆動や発電機（１）駆動する竪型全動翼水重力タービン（８Ｍ）１８１〜２００組発電にする各種エネルギ保存サイクル合体機関及び合体方法。
【請求項５１】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する横軸（１ｈ）で二重反転駆動や発電機（１）駆動する竪型全動翼水重力タービン（８Ｍ）１〜２０組発電にする各種エネルギ保存サイクル合体機関及び合体方法。
【請求項５２】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する横軸（１ｈ）で二重反転駆動や発電機（１）駆動する竪型全動翼水重力タービン（８Ｍ）２１〜４０組発電にする各種エネルギ保存サイクル合体機関及び合体方法。
【請求項５３】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する横軸（１ｈ）で二重反転駆動や発電機（１）駆動する竪型全動翼水重力タービン（８Ｍ）４１〜６０組発電にする各種エネルギ保存サイクル合体機関及び合体方法。
【請求項５４】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する横軸（１ｈ）で二重反転駆動や発電機（１）駆動する竪型全動翼水重力タービン（８Ｍ）６１〜８０組発電にする各種エネルギ保存サイクル合体機関及び合体方法。
【請求項５５】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する横軸（１ｈ）で二重反転駆動や発電機（１）駆動する竪型全動翼水重力タービン（８Ｍ）８１〜１００組発電にする各種エネルギ保存サイクル合体機関及び合体方法。
【請求項５６】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する横軸（１ｈ）で二重反転駆動や発電機（１）駆動する竪型全動翼水重力タービン（８Ｍ）１０１〜１２０組発電にする各種エネルギ保存サイクル合体機関及び合体方法。
【請求項５７】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する横軸（１ｈ）で二重反転駆動や発電機（１）駆動する竪型全動翼水重力タービン（８Ｍ）１２１〜１４０組発電にする各種エネルギ保存サイクル合体機関及び合体方法。
【請求項５８】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する横軸（１ｈ）で二重反転駆動や発電機（１）駆動する竪型全動翼水重力タービン（８Ｍ）１４１〜１６０組発電にする各種エネルギ保存サイクル合体機関及び合体方法。
【請求項５９】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する横軸（１ｈ）で二重反転駆動や発電機（１）駆動する竪型全動翼水重力タービン（８Ｍ）１６１〜１８０組発電にする各種エネルギ保存サイクル合体機関及び合体方法。
【請求項６０】
夫々耐摩耗超撥水鍍金（３ａ）とした、６種類の動翼群を円筒環状組立（９Ａ）＋磁気利用軸受荷重０接近とした水（３Ｅ）マッハ１以上で噴射駆動する横軸（１ｈ）で二重反転駆動や発電機（１）駆動する竪型全動翼水重力タービン（８Ｍ）１８１〜２００組発電にする各種エネルギ保存サイクル合体機関及び合体方法。
【請求項６１】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１以上で噴射加速駆動する横軸（１ｈ）で二重反転駆動や発電機（１）駆動する竪型全動翼水重力タービン（８Ｍ）１〜２０組発電にする各種エネルギ保存サイクル合体機関及び合体方法。
【請求項６２】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１以上で噴射加速駆動する横軸（１ｈ）で二重反転駆動や発電機（１）駆動する竪型全動翼水重力タービン（８Ｍ）２１〜４０組発電にする各種エネルギ保存サイクル合体機関及び合体方法。
【請求項６３】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１以上で噴射加速駆動する横軸（１ｈ）で二重反転駆動や発電機（１）駆動する竪型全動翼水重力タービン（８Ｍ）４１〜６０組発電にする各種エネルギ保存サイクル合体機関及び合体方法。
【請求項６４】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１以上で噴射加速駆動する横軸（１ｈ）で二重反転駆動や発電機（１）駆動する竪型全動翼水重力タービン（８Ｍ）６１〜８０組発電にする各種エネルギ保存サイクル合体機関及び合体方法。
【請求項６５】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１以上で噴射加速駆動する横軸（１ｈ）で二重反転駆動や発電機（１）駆動する竪型全動翼水重力タービン（８Ｍ）８１〜１００組発電にする各種エネルギ保存サイクル合体機関及び合体方法。
【請求項６６】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１以上で噴射加速駆動する横軸（１ｈ）で二重反転駆動や発電機（１）駆動する竪型全動翼水重力タービン（８Ｍ）１０１〜１２０組発電にする各種エネルギ保存サイクル合体機関及び合体方法。
【請求項６７】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１以上で噴射加速駆動する横軸（１ｈ）で二重反転駆動や発電機（１）駆動する竪型全動翼水重力タービン（８Ｍ）１２１〜１４０組発電にする各種エネルギ保存サイクル合体機関及び合体方法。
【請求項６８】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１以上で噴射加速駆動する横軸（１ｈ）で二重反転駆動や発電機（１）駆動する竪型全動翼水重力タービン（８Ｍ）１４１〜１６０組発電にする各種エネルギ保存サイクル合体機関及び合体方法。
【請求項６９】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１以上で噴射加速駆動する横軸（１ｈ）で二重反転駆動や発電機（１）駆動する竪型全動翼水重力タービン（８Ｍ）１６１〜１８０組発電にする各種エネルギ保存サイクル合体機関及び合体方法。
【請求項７０】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１以上で噴射加速駆動する横軸（１ｈ）で二重反転駆動や発電機（１）駆動する竪型全動翼水重力タービン（８Ｍ）１８１〜２００組発電にする各種エネルギ保存サイクル合体機関及び合体方法。
【請求項７１】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１〜３で噴射加速駆動する横軸（１ｈ）で二重反転駆動や発電機（１）駆動する竪型全動翼水重力タービン（８Ｍ）１〜２０組発電にする各種エネルギ保存サイクル合体機関及び合体方法。
【請求項７２】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１〜３で噴射加速駆動する横軸（１ｈ）で二重反転駆動や発電機（１）駆動する竪型全動翼水重力タービン（８Ｍ）２１〜４０組発電にする各種エネルギ保存サイクル合体機関及び合体方法。
【請求項７３】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１〜３で噴射加速駆動する横軸（１ｈ）で二重反転駆動や発電機（１）駆動する竪型全動翼水重力タービン（８Ｍ）４１〜６０組発電にする各種エネルギ保存サイクル合体機関及び合体方法。
【請求項７４】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１〜３で噴射加速駆動する横軸（１ｈ）で二重反転駆動や発電機（１）駆動する竪型全動翼水重力タービン（８Ｍ）６１〜８０組発電にする各種エネルギ保存サイクル合体機関及び合体方法。
【請求項７５】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１〜３で噴射加速駆動する横軸（１ｈ）で二重反転駆動や発電機（１）駆動する竪型全動翼水重力タービン（８Ｍ）８１〜１００組発電にする各種エネルギ保存サイクル合体機関及び合体方法。
【請求項７６】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１〜３で噴射加速駆動する横軸（１ｈ）で二重反転駆動や発電機（１）駆動する竪型全動翼水重力タービン（８Ｍ）１０１〜１２０組発電にする各種エネルギ保存サイクル合体機関及び合体方法。
【請求項７７】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１〜３で噴射加速駆動する横軸（１ｈ）で二重反転駆動や発電機（１）駆動する竪型全動翼水重力タービン（８Ｍ）１２１〜１４０組発電にする各種エネルギ保存サイクル合体機関及び合体方法。
【請求項７８】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１〜３で噴射加速駆動する横軸（１ｈ）で二重反転駆動や発電機（１）駆動する竪型全動翼水重力タービン（８Ｍ）１４１〜１６０組発電にする各種エネルギ保存サイクル合体機関及び合体方法。
【請求項７９】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１〜３で噴射加速駆動する横軸（１ｈ）で二重反転駆動や発電機（１）駆動する竪型全動翼水重力タービン（８Ｍ）１６１〜１８０組発電にする各種エネルギ保存サイクル合体機関及び合体方法。
【請求項８０】
夫々耐摩耗超撥水鍍金（３ａ）とした、６種類の動翼群を円筒環状組立（９Ａ）＋磁気利用軸受荷重０接近とした資源価格０資源量最大の水（３Ｅ）マッハ１〜３で噴射加速駆動する横軸（１ｈ）で二重反転駆動や発電機（１）駆動する竪型全動翼水重力タービン（８Ｍ）１８１〜２００組発電にする各種エネルギ保存サイクル合体機関及び合体方法。
【請求項８１】
外側軸装置（６０Ｂ）と円筒環状組立（９Ａ）を入口固定外翼（６０Ｅ）環状嵌合組立固定で耐摩耗超撥水鍍金（３ａ）とした円筒外側動翼群（６０Ｄ）の入口動翼群を構成する磁気利用軸受荷重０接近とした竪型全動翼水重力タービン（８Ｍ）１〜２００組発電にする各種エネルギ保存サイクル合体機関及び合体方法。
【請求項８２】
内側軸装置（６０Ａ）と円筒環状組立（９Ａ）を入口固定内翼（６０Ｆ）環状嵌合組立固定で耐摩耗超撥水鍍金（３ａ）とした円筒内側動翼群（６０Ｃ）の入口動翼群を構成する磁気利用軸受荷重０接近とした竪型全動翼水重力タービン（８Ｍ）１〜２００組発電にする各種エネルギ保存サイクル合体機関及び合体方法。
【請求項８３】
外側軸装置（６０Ｂ）と円筒環状組立（９Ａ）を外側環状翼（６０Ｇ）環状嵌合組立で耐摩耗超撥水鍍金（３ａ）とした円筒外側動翼群（６０Ｄ）の外側中間動翼群を構成する磁気利用軸受荷重０接近とした竪型全動翼水重力タービン（８Ｍ）１〜２００組発電にする各種エネルギ保存サイクル合体機関及び合体方法。
【請求項８４】
内側軸装置（６０Ａ）と円筒環状組立（９Ａ）を内側環状翼（６０Ｈ）環状嵌合組立で耐摩耗超撥水鍍金（３ａ）とした円筒内側動翼群（６０Ｃ）の内側中間動翼群を構成する磁気利用軸受荷重０接近とした竪型全動翼水重力タービン（８Ｍ）１〜２００組発電にする各種エネルギ保存サイクル合体機関及び合体方法。
【請求項８５】
外側軸装置（６０Ｂ）と円筒環状組立（９Ａ）を外側環状翼（６０Ｇ）環状嵌合組立で耐摩耗超撥水鍍金（３ａ）とした円筒外側動翼群（６０Ｄ）の外側中間動翼群を２回以上構成する磁気利用軸受荷重０接近とした竪型全動翼水重力タービン（８Ｍ）１〜２００組発電にする各種エネルギ保存サイクル合体機関及び合体方法。
【請求項８６】
内側軸装置（６０Ａ）と円筒環状組立（９Ａ）を内側環状翼（６０Ｈ）環状嵌合組立で耐摩耗超撥水鍍金（３ａ）とした円筒内側動翼群（６０Ｃ）の内側中間動翼群を２回以上構成する磁気利用軸受荷重０接近とした竪型全動翼水重力タービン（８Ｍ）１〜２００組発電にする各種エネルギ保存サイクル合体機関及び合体方法。
【請求項８７】
内側軸装置（６０Ａ）と円筒環状組立（９Ａ）を出口固定内翼（６０Ｋ）環状嵌合組立固定で耐摩耗超撥水鍍金（３ａ）とした円筒内側動翼群（６０Ｃ）の出口動翼群を構成する磁気利用軸受荷重０接近とした竪型全動翼水重力タービン（８Ｍ）１〜２００組発電にする各種エネルギ保存サイクル合体機関及び合体方法。
【請求項８８】
外側軸装置（６０Ｂ）と円筒環状組立（９Ａ）を出口固定外翼（６０Ｊ）環状嵌合組立固定で耐摩耗超撥水鍍金（３ａ）とした円筒外側動翼群（６０Ｄ）の出口動翼群を構成する磁気利用軸受荷重０接近とした竪型全動翼水重力タービン（８Ｍ）１〜２００組発電にする各種エネルギ保存サイクル合体機関及び合体方法。
【請求項８９】
外側軸装置（６０Ｂ）＋耐摩耗超撥水鍍金（３ａ）とした円筒外側動翼群（６０Ｄ）を横軸（１ｈ）歯車で連結駆動することで次の外側軸装置（６０Ｂ）＋円筒外側動翼群（６０Ｄ）回転方向を逆回転として共振や騒音を僅少にする磁気利用軸受荷重０接近とした竪型全動翼水重力タービン（８Ｍ）１〜２００組発電にする各種エネルギ保存サイクル合体機関及び合体方法。
【請求項９０】
外側軸装置（６０Ｂ）＋耐摩耗超撥水鍍金（３ａ）とした円筒外側動翼群（６０Ｄ）を横軸（１ｈ）歯車で連結駆動することで次の外側軸装置（６０Ｂ）＋円筒外側動翼群（６０Ｄ）回転方向を逆回転として共振や騒音を僅少にして内側軸装置（６０Ａ）と二重反転駆動する磁気利用軸受荷重０接近とした竪型全動翼水重力タービン（８Ｍ）１〜２００組発電にする各種エネルギ保存サイクル合体機関及び合体方法。
【請求項９１】
太陽光加熱器（２１）を水面に浮力を設けて具備して、太陽光加熱空気を磁気利用軸受荷重０接近とした竪型全動翼水重力タービン（８Ｍ）極端に安価発電電気駆動の、１〜複数段熱ポンプ（１Ｇ）で吸入複数回圧縮し、圧縮毎に１〜複数段圧縮熱回収器（２Ｃ）で熱回収して、電気＋液体空気冷熱＋過熱蒸気温熱供給設備（３Ｄ）にする各種エネルギ保存サイクル合体機関及び合体方法。
【請求項９２】
太陽光加熱器（２１）を水面に浮力を設けて具備して、太陽光を東から西に直角維持回転制御する回転支持部（４ｆ）等を具備し、太陽光加熱空気を磁気利用軸受荷重０接近とした竪型全動翼水重力タービン（８Ｍ）極端に安価発電電気駆動の、１〜複数段熱ポンプ（１Ｇ）で吸入複数回圧縮し、圧縮毎に１〜複数段圧縮熱回収器（２Ｃ）で熱回収して、電気＋液体空気冷熱＋過熱蒸気温熱供給設備（３Ｄ）にする各種エネルギ保存サイクル合体機関及び合体方法。
【請求項９３】
太陽光加熱器（２１）を水面に浮力を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、太陽光加熱空気を磁気利用軸受荷重０接近とした竪型全動翼水重力タービン（８Ｍ）極端に安価発電電気駆動の、１〜複数段熱ポンプ（１Ｇ）で吸入複数回圧縮し、圧縮毎に１〜複数段圧縮熱回収器（２Ｃ）で熱回収して、電気＋液体空気冷熱＋過熱蒸気温熱供給設備（３Ｄ）にする各種エネルギ保存サイクル合体機関及び合体方法。
【請求項９４】
太陽光加熱器（２１）を水面に浮力を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、浮力利用により東西方向直角維持回転制御する装置として、太陽光を熱吸収管（４Ｈ）中心に直線照射内部空気（２８ａ）温度を最高にし、磁気利用軸受荷重０接近とした竪型全動翼水重力タービン（８Ｍ）極端に安価発電電気駆動の、１〜複数段熱ポンプ（１Ｇ）で吸入複数回圧縮し、圧縮毎に１〜複数段圧縮熱回収器（２Ｃ）で熱回収して、電気＋液体空気冷熱＋過熱蒸気温熱供給設備（３Ｄ）にする各種エネルギ保存サイクル合体機関及び合体方法。
【請求項９５】
太陽光加熱器（２１）を水面に浮力を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、浮力利用により東西方向直角維持回転制御する装置として、太陽光を熱吸収管（４Ｈ）中心に直線照射内部空気（２８ａ）温度を最高にし、外部空気（２８ａ）も加熱夫々の空気路（２８Ａ）高温度選択吸入として、磁気利用軸受荷重０接近とした竪型全動翼水重力タービン（８Ｍ）極端に安価発電電気駆動の、１〜複数段熱ポンプ（１Ｇ）で吸入複数回圧縮し、圧縮毎に１〜複数段圧縮熱回収器（２Ｃ）で熱回収して、電気＋液体空気冷熱＋過熱蒸気温熱供給設備（３Ｄ）にする各種エネルギ保存サイクル合体機関及び合体方法。
【請求項９６】
太陽光加熱器（２１）を平地に円形鉄道を設けて具備して、太陽光加熱空気を磁気利用軸受荷重０接近とした竪型全動翼水重力タービン（８Ｍ）極端に安価発電電気駆動の、１〜複数段熱ポンプ（１Ｇ）で吸入複数回圧縮し、圧縮毎に１〜複数段圧縮熱回収器（２Ｃ）で熱回収して、電気＋液体空気冷熱＋過熱蒸気温熱供給設備（３Ｄ）にする各種エネルギ保存サイクル合体機関及び合体方法。
【請求項９７】
太陽光加熱器（２１）を平地に円形鉄道を設けて具備して、太陽光を東から西に直角維持回転制御する回転支持部（４ｆ）等を具備し、太陽光加熱空気を磁気利用軸受荷重０接近とした竪型全動翼水重力タービン（８Ｍ）極端に安価発電電気駆動の、１〜複数段熱ポンプ（１Ｇ）で吸入複数回圧縮し、圧縮毎に１〜複数段圧縮熱回収器（２Ｃ）で熱回収して、電気＋液体空気冷熱＋過熱蒸気温熱供給設備（３Ｄ）にする各種エネルギ保存サイクル合体機関及び合体方法。
【請求項９８】
太陽光加熱器（２１）を平地に円形鉄道を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、太陽光加熱空気を磁気利用軸受荷重０接近とした竪型全動翼水重力タービン（８Ｍ）極端に安価発電電気駆動の、１〜複数段熱ポンプ（１Ｇ）で吸入複数回圧縮し、圧縮毎に１〜複数段圧縮熱回収器（２Ｃ）で熱回収して、電気＋液体空気冷熱＋過熱蒸気温熱供給設備（３Ｄ）にする各種エネルギ保存サイクル合体機関及び合体方法。
【請求項９９】
太陽光加熱器（２１）を平地に円形鉄道を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、円形鉄道利用により東西方向直角維持回転制御する装置として、太陽光を熱吸収管（４Ｈ）中心に直線照射内部空気（２８ａ）温度を最高にし、磁気利用軸受荷重０接近とした竪型全動翼水重力タービン（８Ｍ）極端に安価発電電気駆動の、１〜複数段熱ポンプ（１Ｇ）で吸入複数回圧縮し、圧縮毎に１〜複数段圧縮熱回収器（２Ｃ）で熱回収して、電気＋液体空気冷熱＋過熱蒸気温熱供給設備（３Ｄ）にする各種エネルギ保存サイクル合体機関及び合体方法。
【請求項１００】
太陽光加熱器（２１）を平地に円形鉄道を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、円形鉄道利用により東西方向直角維持回転制御する装置として、太陽光を熱吸収管（４Ｈ）中心に直線照射内部空気（２８ａ）温度を最高にし、外部空気（２８ａ）も加熱夫々の空気路（２８Ａ）高温度選択吸入として、磁気利用軸受荷重０接近とした竪型全動翼水重力タービン（８Ｍ）極端に安価発電電気駆動の、１〜複数段熱ポンプ（１Ｇ）で吸入複数回圧縮し、圧縮毎に１〜複数段圧縮熱回収器（２Ｃ）で熱回収して、電気＋液体空気冷熱＋過熱蒸気温熱供給設備３Ｄにする電気＋液体空気冷熱＋過熱蒸気温熱供給設備（３Ｄ）にする各種エネルギ保存サイクル合体機関及び合体方法。
【請求項１０１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より受給して、海底のメタンハイドレートに過熱蒸気温熱注入メタンを回収する各種エネルギ保存サイクル合体機関及び合体方法。
【請求項１０２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より受給して、海底のメタンハイドレートに過熱蒸気温熱注入メタンを液体窒素（５Ｌ）冷却液体メタンで回収する各種エネルギ保存サイクル合体機関及び合体方法。
【請求項１０３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より受給して、永久凍土地下のメタンハイドレートに過熱蒸気温熱注入メタンを回収する各種エネルギ保存サイクル合体機関及び合体方法。
【請求項１０４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より受給して、永久凍土地下のメタンハイドレートに過熱蒸気温熱注入メタンを液体窒素（５Ｌ）冷却液体メタンで回収する各種エネルギ保存サイクル合体機関及び合体方法。
【請求項１０５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より受給して、永久凍土地下のメタンハイドレートに過熱蒸気温熱注入囲い設けてメタン回収や牧草地放牧事業等にする各種エネルギ保存サイクル合体機関及び合体方法。
【請求項１０６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より受給して、オイルサンド地帯に過熱蒸気注入囲い設けて回収する各種エネルギ保存サイクル合体機関及び合体方法。
【請求項１０７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より受給して、オイルシェール地帯に過熱蒸気注入囲い設けて回収する各種エネルギ保存サイクル合体機関及び合体方法。
【請求項１０８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より受給して、老朽石油採取地帯に過熱蒸気注入囲い設けて回収する各種エネルギ保存サイクル合体機関及び合体方法。
【請求項１０９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より受給して、食品製造業等では過熱蒸気安価受給して安価食料品大量生産にする各種エネルギ保存サイクル合体機関及び合体方法。
【請求項１１０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価過熱蒸気を受給して、農業用や工業用や産業用や鉱業用に使用して温熱利用全盛にする各種エネルギ保存サイクル合体機関及び合体方法。
【請求項１１１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動して自動車駆動する各種エネルギ保存サイクル合体機関及び合体方法。
【請求項１１２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）駆動して自動車駆動する各種エネルギ保存サイクル合体機関及び合体方法。
【請求項１１３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）駆動して自動車駆動する各種エネルギ保存サイクル合体機関及び合体方法。
【請求項１１４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動発電機（１）駆動蓄電池（１Ａ）に蓄電して蓄電池駆動車輪（４Ｊ）回転理論膨張機関自動車（４Ｋ）駆動する各種エネルギ保存サイクル合体機関及び合体方法。
【請求項１１５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）駆動発電機（１）駆動蓄電池（１Ａ）に蓄電して蓄電池駆動車輪（４Ｊ）回転理論膨張機関自動車（４Ｋ）駆動する各種エネルギ保存サイクル合体機関及び合体方法。
【請求項１１６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）駆動発電機（１）駆動蓄電池（１Ａ）に蓄電して蓄電池駆動車輪（４Ｊ）回転理論膨張機関自動車（４Ｋ）駆動する各種エネルギ保存サイクル合体機関及び合体方法。
【請求項１１７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動発電機（１）駆動蓄電池（１Ａ）に蓄電して蓄電池駆動車輪（４Ｊ）回転と普通車輪回転が可能な理論膨張機関自動車（４Ｋ）駆動する各種エネルギ保存サイクル合体機関及び合体方法。
【請求項１１８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）駆動発電機（１）駆動蓄電池（１Ａ）に蓄電して蓄電池駆動車輪（４Ｊ）回転と普通車輪回転が可能な理論膨張機関自動車（４Ｋ）駆動する各種エネルギ保存サイクル合体機関及び合体方法。
【請求項１１９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）駆動発電機（１）駆動蓄電池（１Ａ）に蓄電して蓄電池駆動車輪（４Ｊ）回転と普通車輪回転が可能な理論膨張機関自動車（４Ｋ）駆動する各種エネルギ保存サイクル合体機関及び合体方法。
【請求項１２０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動して理論膨張機関自動車（４Ｋ）駆動する各種エネルギ保存サイクル合体機関及び合体方法。
【請求項１２１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動してスクリュー（７Ｃ）回転船舶駆動する各種エネルギ保存サイクル合体機関及び合体方法。
【請求項１２２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）駆動してスクリュー（７Ｃ）回転船舶駆動する各種エネルギ保存サイクル合体機関及び合体方法。
【請求項１２３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）駆動してスクリュー（７Ｃ）回転船舶駆動する各種エネルギ保存サイクル合体機関及び合体方法。
【請求項１２４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）１〜複数駆動してスクリュー（７Ｃ）複数回転船舶駆動する各種エネルギ保存サイクル合体機関及び合体方法。
【請求項１２５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）１〜複数駆動してスクリュー（７Ｃ）複数回転船舶駆動する各種エネルギ保存サイクル合体機関及び合体方法。
【請求項１２６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）１〜複数駆動してスクリュー（７Ｃ）複数回転船舶駆動する各種エネルギ保存サイクル合体機関及び合体方法。
【請求項１２７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）１〜複数駆動してスクリュー（７Ｃ）複数回転酸素合体スクリュー船舶（３９Ｈ）駆動する各種エネルギ保存サイクル合体機関及び合体方法。
【請求項１２８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）１〜複数駆動してスクリュー（７Ｃ）複数回転酸素合体スクリュー船舶（３９Ｈ）駆動する各種エネルギ保存サイクル合体機関及び合体方法。
【請求項１２９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）１〜複数駆動してスクリュー（７Ｃ）複数回転酸素合体スクリュー船舶（３９Ｈ）駆動する各種エネルギ保存サイクル合体機関及び合体方法。
【請求項１３０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動して酸素合体スクリュー船舶（３９Ｈ）駆動する各種エネルギ保存サイクル合体機関及び合体方法。
【請求項１３１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動してスクリュー（７Ｃ）回転酸素合体水噴射部（８８Ｋ）噴射推進船舶駆動する各種エネルギ保存サイクル合体機関及び合体方法。
【請求項１３２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）駆動してスクリュー（７Ｃ）回転酸素合体水噴射部（８８Ｋ）噴射推進船舶駆動する各種エネルギ保存サイクル合体機関及び合体方法。
【請求項１３３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）駆動してスクリュー（７Ｃ）回転酸素合体水噴射部（８８Ｋ）噴射推進船舶駆動する各種エネルギ保存サイクル合体機関及び合体方法。
【請求項１３４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）１〜複数駆動してスクリュー（７Ｃ）複数回転酸素合体水噴射部（８８Ｋ）噴射推進船舶駆動する各種エネルギ保存サイクル合体機関及び合体方法。
【請求項１３５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）１〜複数駆動してスクリュー（７Ｃ）複数回転酸素合体水噴射部（８８Ｋ）噴射推進船舶駆動する各種エネルギ保存サイクル合体機関及び合体方法。
【請求項１３６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）１〜複数駆動してスクリュー（７Ｃ）複数回転酸素合体水噴射部（８８Ｋ）噴射推進船舶駆動する各種エネルギ保存サイクル合体機関及び合体方法。
【請求項１３７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）１〜複数駆動してスクリュー（７Ｃ）複数回転酸素合体水噴射部（８８Ｋ）噴射推進酸素合体スクリュー噴射船舶（３９Ｋ）駆動する各種エネルギ保存サイクル合体機関及び合体方法。
【請求項１３８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）１〜複数駆動してスクリュー（７Ｃ）複数回転酸素合体水噴射部（８８Ｋ）噴射推進酸素合体スクリュー噴射船舶（３９Ｋ）駆動する各種エネルギ保存サイクル合体機関及び合体方法。
【請求項１３９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）１〜複数駆動してスクリュー（７Ｃ）複数回転酸素合体水噴射部（８８Ｋ）噴射推進酸素合体スクリュー噴射船舶（３９Ｋ）駆動する各種エネルギ保存サイクル合体機関及び合体方法。
【請求項１４０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動して酸素合体水噴射部（８８Ｋ）噴射推進酸素合体スクリュー噴射船舶（３９Ｋ）駆動する各種エネルギ保存サイクル合体機関及び合体方法。
【請求項１４１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする流線型酸素水素増大燃焼狙う理論燃焼室（４Ｙ）複数超高圧燃料燃焼噴射推進とした酸素合体水噴射部（８８Ｋ）噴射推進船舶駆動する各種エネルギ保存サイクル合体機関及び合体方法。
【請求項１４２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、流線型酸素水素増大燃焼狙う理論燃焼室（４Ｙ）超高圧複数燃料燃焼噴射推進とした酸素合体水噴射部（８８Ｋ）噴射推進船舶駆動する各種エネルギ保存サイクル合体機関及び合体方法。
【請求項１４３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、流線型酸素水素増大燃焼狙う理論燃焼室（４Ｙ）超高圧複数燃料燃焼噴射推進とした酸素合体水噴射部（８８Ｋ）噴射推進船舶駆動する各種エネルギ保存サイクル合体機関及び合体方法。
【請求項１４４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする流線型酸素水素増大燃焼狙う理論燃焼室（４Ｙ）空気吸引流路具備含む複数超高圧燃料燃焼噴射推進とした酸素合体水噴射部（８８Ｋ）噴射推進船舶駆動する各種エネルギ保存サイクル合体機関及び合体方法。
【請求項１４５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、流線型酸素水素増大燃焼狙う理論燃焼室（４Ｙ）空気吸引流路具備含む複数超高圧燃料燃焼噴射推進とした酸素合体水噴射部（８８Ｋ）噴射推進船舶駆動する各種エネルギ保存サイクル合体機関及び合体方法。
【請求項１４６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、流線型酸素水素増大燃焼狙う理論燃焼室（４Ｙ）空気吸引流路具備含む複数超高圧燃料燃焼噴射推進とした酸素合体水噴射部（８８Ｋ）噴射推進船舶駆動する各種エネルギ保存サイクル合体機関及び合体方法。
【請求項１４７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする流線型酸素水素増大燃焼狙う理論燃焼室（４Ｙ）空気吸引流路具備含む複数超高圧燃料燃焼噴射推進とした酸素合体水噴射部（８８Ｋ）噴射推進酸素合体噴射船舶（３９Ｊ）駆動する各種エネルギ保存サイクル合体機関及び合体方法。
【請求項１４８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、流線型酸素水素増大燃焼狙う理論燃焼室（４Ｙ）空気吸引流路具備含む複数超高圧燃料燃焼噴射推進とした酸素合体水噴射部（８８Ｋ）噴射推進酸素合体噴射船舶（３９Ｊ）駆動する各種エネルギ保存サイクル合体機関及び合体方法。
【請求項１４９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、流線型酸素水素増大燃焼狙う理論燃焼室（４Ｙ）空気吸引流路具備含む複数超高圧燃料燃焼噴射推進とした酸素合体水噴射部（８８Ｋ）噴射推進酸素合体噴射船舶（３９Ｊ）駆動する各種エネルギ保存サイクル合体機関及び合体方法。
【請求項１５０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする流線型酸素水素増大燃焼狙う理論燃焼室（４Ｙ）複数とした酸素合体水噴射部（８８Ｋ）噴射推進酸素合体噴射船舶（３９Ｊ）駆動する各種エネルギ保存サイクル合体機関及び合体方法。
【請求項１５１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする流線型酸素水素増大燃焼狙う理論燃焼室（４Ｙ）複数超高圧燃料燃焼噴射推進とした酸素合体空気噴射部（８８Ａ）噴射推進飛行機にする各種エネルギ保存サイクル合体機関及び合体方法。
【請求項１５２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、流線型酸素水素増大燃焼狙う理論燃焼室（４Ｙ）複数超高圧燃料燃焼噴射推進とした酸素合体空気噴射部（８８Ａ）噴射推進飛行機にする各種エネルギ保存サイクル合体機関及び合体方法。
【請求項１５３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、流線型酸素水素増大燃焼狙う理論燃焼室（４Ｙ）複数超高圧燃料燃焼噴射推進とした酸素合体空気噴射部（８８Ａ）噴射推進飛行機にする各種エネルギ保存サイクル合体機関及び合体方法。
【請求項１５４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする流線型酸素水素増大燃焼狙う理論燃焼室（４Ｙ）空気吸引流路具備含む複数超高圧燃料燃焼噴射推進とした酸素合体空気噴射部（８８Ａ）噴射推進飛行機にする各種エネルギ保存サイクル合体機関及び合体方法。
【請求項１５５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、流線型酸素水素増大燃焼狙う理論燃焼室（４Ｙ）空気吸引流路具備含む複数超高圧燃料燃焼噴射推進とした酸素合体空気噴射部（８８Ａ）噴射推進飛行機にする各種エネルギ保存サイクル合体機関及び合体方法。
【請求項１５６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、流線型酸素水素増大燃焼狙う理論燃焼室（４Ｙ）空気吸引流路具備含む複数超高圧燃料燃焼噴射推進とした酸素合体空気噴射部（８８Ａ）噴射推進飛行機にする各種エネルギ保存サイクル合体機関及び合体方法。
【請求項１５７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする流線型酸素水素増大燃焼狙う理論燃焼室（４Ｙ）空気吸引流路具備含む複数超高圧燃料燃焼噴射推進とした酸素合体空気噴射部（８８Ａ）噴射推進酸素合体噴射飛行機（３９Ｌ）駆動する各種エネルギ保存サイクル合体機関及び合体方法。
【請求項１５８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、流線型酸素水素増大燃焼狙う理論燃焼室（４Ｙ）空気吸引流路具備含む複数超高圧燃料燃焼噴射推進とした酸素合体空気噴射部（８８Ａ）噴射推進酸素合体噴射飛行機（３９Ｌ）駆動する各種エネルギ保存サイクル合体機関及び合体方法。
【請求項１５９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、流線型酸素水素増大燃焼狙う理論燃焼室（４Ｙ）空気吸引流路具備含む複数超高圧燃料燃焼噴射推進とした酸素合体空気噴射部（８８Ａ）噴射推進酸素合体噴射飛行機（３９Ｌ）駆動する各種エネルギ保存サイクル合体機関及び合体方法。
【請求項１６０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする流線型酸素水素増大燃焼狙う理論燃焼室（４Ｙ）複数とした酸素合体空気噴射部（８８Ａ）噴射推進酸素合体噴射飛行機（３９Ｌ）駆動する各種エネルギ保存サイクル合体機関及び合体方法。
【請求項１６１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動してプロペラ（７Ａ）回転飛行機駆動する各種エネルギ保存サイクル合体機関及び合体方法。
【請求項１６２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）駆動してプロペラ（７Ａ）回転飛行機駆動する各種エネルギ保存サイクル合体機関及び合体方法。
【請求項１６３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）駆動してプロペラ（７Ａ）回転飛行機駆動する各種エネルギ保存サイクル合体機関及び合体方法。
【請求項１６４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）１〜複数駆動してプロペラ（７Ａ）複数回転飛行機駆動する各種エネルギ保存サイクル合体機関及び合体方法。
【請求項１６５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）１〜複数駆動してプロペラ（７Ａ）複数回転飛行機駆動する各種エネルギ保存サイクル合体機関及び合体方法。
【請求項１６６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）１〜複数駆動してプロペラ（７Ａ）複数回転飛行機駆動する各種エネルギ保存サイクル合体機関及び合体方法。
【請求項１６７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）１〜複数駆動してプロペラ（７Ａ）複数回転酸素合体プロペラ飛行機（３９Ｍ）駆動する各種エネルギ保存サイクル合体機関及び合体方法。
【請求項１６８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）１〜複数駆動してプロペラ（７Ａ）複数回転酸素合体プロペラ飛行機（３９Ｍ）駆動する各種エネルギ保存サイクル合体機関及び合体方法。
【請求項１６９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）１〜複数駆動してプロペラ（７Ａ）複数回転酸素合体プロペラ飛行機（３９Ｍ）駆動する各種エネルギ保存サイクル合体機関及び合体方法。
【請求項１７０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動してプロペラ（７Ａ）回転酸素合体プロペラ飛行機（３９Ｍ）駆動する各種エネルギ保存サイクル合体機関及び合体方法。
【請求項１７１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動回転翼（７Ｂ）回転して飛行機駆動する各種エネルギ保存サイクル合体機関及び合体方法。
【請求項１７２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）駆動回転翼（７Ｂ）回転して飛行機駆動する各種エネルギ保存サイクル合体機関及び合体方法。
【請求項１７３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）駆動回転翼（７Ｂ）回転して飛行機駆動する各種エネルギ保存サイクル合体機関及び合体方法。
【請求項１７４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）１〜複数駆動回転翼（７Ｂ）複数回転して飛行機駆動する各種エネルギ保存サイクル合体機関及び合体方法。
【請求項１７５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）１〜複数駆動回転翼（７Ｂ）複数回転して飛行機駆動する各種エネルギ保存サイクル合体機関及び合体方法。
【請求項１７６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）１〜複数駆動回転翼（７Ｂ）複数回転して飛行機駆動する各種エネルギ保存サイクル合体機関及び合体方法。
【請求項１７７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）１〜複数駆動回転翼（７Ｂ）複数回転して酸素合体回転翼飛行機（３９Ｐ）駆動する各種エネルギ保存サイクル合体機関及び合体方法。
【請求項１７８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）１〜複数駆動回転翼（７Ｂ）複数回転して酸素合体回転翼飛行機（３９Ｐ）駆動する各種エネルギ保存サイクル合体機関及び合体方法。
【請求項１７９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）１〜複数駆動回転翼（７Ｂ）複数回転して酸素合体回転翼飛行機（３９Ｐ）駆動する各種エネルギ保存サイクル合体機関及び合体方法。
【請求項１８０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動回転翼（７Ｂ）回転して酸素合体回転翼飛行機（３９Ｐ）駆動する各種エネルギ保存サイクル合体機関及び合体方法。
【請求項１８１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動プロペラ（７Ａ）回転し酸素合体空気噴射部（８８Ａ）噴射推進飛行機駆動する各種エネルギ保存サイクル合体機関及び合体方法。
【請求項１８２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）駆動プロペラ（７Ａ）回転し酸素合体空気噴射部（８８Ａ）噴射推進飛行機駆動する各種エネルギ保存サイクル合体機関及び合体方法。
【請求項１８３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）駆動プロペラ（７Ａ）回転し酸素合体空気噴射部（８８Ａ）噴射推進飛行機駆動する各種エネルギ保存サイクル合体機関及び合体方法。
【請求項１８４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）１〜複数駆動プロペラ（７Ａ）複数回転し酸素合体空気噴射部（８８Ａ）噴射推進飛行機駆動する各種エネルギ保存サイクル合体機関及び合体方法。
【請求項１８５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）１〜複数駆動プロペラ（７Ａ）複数回転し酸素合体空気噴射部（８８Ａ）噴射推進飛行機駆動する各種エネルギ保存サイクル合体機関及び合体方法。
【請求項１８６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）１〜複数駆動プロペラ（７Ａ）複数回転し酸素合体空気噴射部（８８Ａ）噴射推進飛行機駆動する各種エネルギ保存サイクル合体機関及び合体方法。
【請求項１８７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）１〜複数駆動プロペラ（７Ａ）複数回転し酸素合体空気噴射部（８８Ａ）噴射推進酸素合体プロペラ噴射飛行機（３９Ｎ）駆動する各種エネルギ保存サイクル合体機関及び合体方法。
【請求項１８８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として理論膨張機関（３Ｐ）１〜複数駆動プロペラ（７Ａ）複数回転し酸素合体空気噴射部（８８Ａ）噴射推進酸素合体プロペラ噴射飛行機（３９Ｎ）駆動する各種エネルギ保存サイクル合体機関及び合体方法。
【請求項１８９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として理論膨張機関（３Ｐ）１〜複数駆動プロペラ（７Ａ）複数回転し酸素合体空気噴射部（８８Ａ）噴射推進酸素合体プロペラ噴射飛行機（３９Ｎ）駆動する各種エネルギ保存サイクル合体機関及び合体方法。
【請求項１９０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として理論膨張機関（３Ｐ）駆動プロペラ（７Ａ）回転し酸素合体空気噴射部（８８Ａ）噴射推進酸素合体プロペラ噴射飛行機（３９Ｎ）駆動する各種エネルギ保存サイクル合体機関及び合体方法。
【請求項１９１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として高圧高温燃焼ガス制御弁（５ａ）開放燃焼ガス噴射ノズル（６Ｙ）より高圧高温燃焼ガス（５０）を噴射して理論膨張機関（３Ｐ）駆動する各種エネルギ保存サイクル合体機関及び合体方法。
【請求項１９２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として高圧高温燃焼ガス制御弁（５ａ）開放燃焼ガス噴射ノズル（６Ｙ）より高圧高温燃焼ガス（５０）を噴射して理論膨張機関（３Ｐ）駆動する各種エネルギ保存サイクル合体機関及び合体方法。
【請求項１９３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として高圧高温燃焼ガス制御弁（５ａ）開放燃焼ガス噴射ノズル（６Ｙ）より高圧高温燃焼ガス（５０）を噴射して理論膨張機関（３Ｐ）駆動する各種エネルギ保存サイクル合体機関及び合体方法。
【請求項１９４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として高圧高温燃焼ガス制御弁（５ａ）開放燃焼ガス噴射ノズル（６Ｙ）より高圧高温燃焼ガス（５０）を噴射して上側膨張翼（８ｄ）下側膨張翼（８ｅ）を横軸（１ｈ）二重反転する理論膨張機関（３Ｐ）駆動する各種エネルギ保存サイクル合体機関及び合体方法。
【請求項１９５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として高圧高温燃焼ガス制御弁（５ａ）開放燃焼ガス噴射ノズル（６Ｙ）より高圧高温燃焼ガス（５０）を噴射して上側膨張翼（８ｄ）下側膨張翼（８ｅ）を横軸（１ｈ）二重反転する理論膨張機関（３Ｐ）駆動する各種エネルギ保存サイクル合体機関及び合体方法。
【請求項１９６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として高圧高温燃焼ガス制御弁（５ａ）開放燃焼ガス噴射ノズル（６Ｙ）より高圧高温燃焼ガス（５０）を噴射して上側膨張翼（８ｄ）下側膨張翼（８ｅ）を横軸（１ｈ）二重反転する理論膨張機関（３Ｐ）駆動する各種エネルギ保存サイクル合体機関及び合体方法。
【請求項１９７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として高圧高温燃焼ガス制御弁（５ａ）開放燃焼ガス噴射ノズル（６Ｙ）より高圧高温燃焼ガス（５０）を噴射して上側膨張翼（８ｄ）下側膨張翼（８ｅ）を横軸（１ｈ）二重反転組立タービン翼（８ｆ）組立の理論膨張機関（３Ｐ）駆動する各種エネルギ保存サイクル合体機関及び合体方法。
【請求項１９８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として高圧高温燃焼ガス制御弁（５ａ）開放燃焼ガス噴射ノズル（６Ｙ）より高圧高温燃焼ガス（５０）を噴射して上側膨張翼（８ｄ）下側膨張翼（８ｅ）を横軸（１ｈ）二重反転組立タービン翼（８ｆ）組立の理論膨張機関（３Ｐ）駆動する各種エネルギ保存サイクル合体機関及び合体方法。
【請求項１９９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として高圧高温燃焼ガス制御弁（５ａ）開放燃焼ガス噴射ノズル（６Ｙ）より高圧高温燃焼ガス（５０）を噴射して上側膨張翼（８ｄ）下側膨張翼（８ｅ）を横軸（１ｈ）二重反転組立タービン翼（８ｆ）組立の理論膨張機関（３Ｐ）駆動する各種エネルギ保存サイクル合体機関及び合体方法。
【請求項２００】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として高圧高温燃焼ガス制御弁（５ａ）開放空気吸引燃焼量増大し、燃焼ガス噴射ノズル（６Ｙ）より高圧高温燃焼ガス（５０）を噴射して上側膨張翼（８ｄ）下側膨張翼（８ｅ）を横軸（１ｈ）二重反転組立タービン翼（８ｆ）組立の理論膨張機関（３Ｐ）駆動する各種エネルギ保存サイクル合体機関及び合体方法。
【請求項２０１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として高圧高温燃焼ガス制御弁（５ａ）開放円周方向３８０度拡大膨張する理論膨張機関（３Ｐ）にする各種エネルギ保存サイクル合体機関及び合体方法。
【請求項２０２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として高圧高温燃焼ガス制御弁（５ａ）開放円周方向３８０度拡大膨張する理論膨張機関（３Ｐ）にする各種エネルギ保存サイクル合体機関及び合体方法。
【請求項２０３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として高圧高温燃焼ガス制御弁（５ａ）開放円周方向３８０度拡大膨張する理論膨張機関（３Ｐ）にする各種エネルギ保存サイクル合体機関及び合体方法。
【請求項２０４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として高圧高温燃焼ガス制御弁（５ａ）開放円周方向３８０度拡大膨張で最大駆動速度にする理論膨張機関（３Ｐ）にする各種エネルギ保存サイクル合体機関及び合体方法。
【請求項２０５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として高圧高温燃焼ガス制御弁（５ａ）開放円周方向３８０度拡大膨張で最大駆動速度にする理論膨張機関（３Ｐ）にする各種エネルギ保存サイクル合体機関及び合体方法。
【請求項２０６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として高圧高温燃焼ガス制御弁（５ａ）開放円周方向３８０度拡大膨張で最大駆動速度にする理論膨張機関（３Ｐ）にする各種エネルギ保存サイクル合体機関及び合体方法。
【請求項２０７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として高圧高温燃焼ガス制御弁（５ａ）開放円周方向３８０度拡大膨張と二重反転で最大駆動速度にする理論膨張機関（３Ｐ）にする各種エネルギ保存サイクル合体機関及び合体方法。
【請求項２０８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）超高圧燃料燃焼として高圧高温燃焼ガス制御弁（５ａ）開放円周方向３８０度拡大膨張と二重反転で最大駆動速度にする理論膨張機関（３Ｐ）にする各種エネルギ保存サイクル合体機関及び合体方法。
【請求項２０９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）超高圧燃料燃焼として高圧高温燃焼ガス制御弁（５ａ）開放円周方向３８０度拡大膨張と二重反転で最大駆動速度にする理論膨張機関（３Ｐ）にする各種エネルギ保存サイクル合体機関及び合体方法。
【請求項２１０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、圧縮容積を空気圧縮の２１／６００００にする酸素水素増大燃焼狙う理論燃焼室（４Ｙ）超高圧燃料燃焼として高圧高温燃焼ガス制御弁（５ａ）開放円周方向３８０度拡大膨張と二重反転にする理論膨張機関（３Ｐ）にする各種エネルギ保存サイクル合体機関及び合体方法。
【請求項２１１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、液体燃料（１ｃ）や水（５２ａ）と共に液体圧縮し、圧縮容積を空気圧縮の２１／６００００容積等で超高圧圧縮燃料噴射燃焼する酸素水素増大燃焼狙う理論燃焼室（４Ｙ）にする各種エネルギ保存サイクル合体機関及び合体方法。
【請求項２１２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、液体燃料（１ｃ）や水（５２ａ）と共に液体圧縮し、圧縮容積を空気圧縮の２１／６００００容積等で超高圧圧縮燃料噴射燃焼する酸素水素増大燃焼狙う理論燃焼室（４Ｙ）にする各種エネルギ保存サイクル合体機関及び合体方法。
【請求項２１３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、液体燃料（１ｃ）や水（５２ａ）と共に液体圧縮し、圧縮容積を空気圧縮の２１／６００００容積等で超高圧圧縮燃料噴射燃焼する酸素水素増大燃焼狙う理論燃焼室（４Ｙ）にする各種エネルギ保存サイクル合体機関及び合体方法。
【請求項２１４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、液体燃料（１ｃ）や水（５２ａ）と共に液体圧縮して酸素水素増大燃焼狙う理論燃焼室（４Ｙ）内壁で最適温度に加熱する各種エネルギ保存サイクル合体機関及び合体方法。
【請求項２１５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、液体燃料（１ｃ）や水（５２ａ）と共に液体圧縮して酸素水素増大燃焼狙う理論燃焼室（４Ｙ）内壁で最適温度に加熱する各種エネルギ保存サイクル合体機関及び合体方法。
【請求項２１６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、液体燃料（１ｃ）や水（５２ａ）と共に液体圧縮して酸素水素増大燃焼狙う理論燃焼室（４Ｙ）内壁で最適温度に加熱する各種エネルギ保存サイクル合体機関及び合体方法。
【請求項２１７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、液体燃料（１ｃ）や水（５２ａ）と共に液体圧縮して酸素水素増大燃焼狙う理論燃焼室（４Ｙ）内壁で最適温度に加熱酸素制御弁（２４Ｄ）＋燃料制御弁（２５ｂ）＋過熱蒸気制御弁（２５）を開放する各種エネルギ保存サイクル合体機関及び合体方法。
【請求項２１８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、液体燃料（１ｃ）や水（５２ａ）と共に液体圧縮して酸素水素増大燃焼狙う理論燃焼室（４Ｙ）内壁で最適温度に加熱酸素制御弁（２４Ｄ）＋燃料制御弁（２５ｂ）＋過熱蒸気制御弁（２５）を開放する各種エネルギ保存サイクル合体機関及び合体方法。
【請求項２１９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、液体燃料（１ｃ）や水（５２ａ）と共に液体圧縮して酸素水素増大燃焼狙う理論燃焼室（４Ｙ）内壁で最適温度に加熱酸素制御弁（２４Ｄ）＋燃料制御弁（２５ｂ）＋過熱蒸気制御弁（２５）を開放する各種エネルギ保存サイクル合体機関及び合体方法。
【請求項２２０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋過熱蒸気を受給して、液体燃料（１ｃ）や水（５２ａ）と共に液体圧縮して酸素水素増大燃焼狙う理論燃焼室（４Ｙ）内壁で最適温度に加熱酸素制御弁（２４Ｄ）＋燃料制御弁（２５ｂ）＋過熱蒸気制御弁（２５）を開放受給過熱蒸気と共に噴射する各種エネルギ保存サイクル合体機関及び合体方法。
【請求項２２１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、最適温度に加熱酸素制御弁（２４Ｄ）＋燃料制御弁（２５ｂ）＋過熱蒸気制御弁（２５）を開放酸素燃料バーナー中心付近複数３０００℃以上燃焼で外周過熱蒸気（５０）を加熱する酸素水素増大燃焼狙う理論燃焼室（４Ｙ）にする各種エネルギ保存サイクル合体機関及び合体方法。
【請求項２２２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、最適温度に加熱酸素制御弁（２４Ｄ）＋燃料制御弁（２５ｂ）＋過熱蒸気制御弁（２５）を開放酸素燃料バーナー中心付近複数３０００℃以上燃焼で外周過熱蒸気（５０）を加熱する酸素水素増大燃焼狙う理論燃焼室（４Ｙ）にする各種エネルギ保存サイクル合体機関及び合体方法。
【請求項２２３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、最適温度に加熱酸素制御弁（２４Ｄ）＋燃料制御弁（２５ｂ）＋過熱蒸気制御弁（２５）を開放酸素燃料バーナー中心付近複数３０００℃以上燃焼で外周過熱蒸気（５０）を加熱する酸素水素増大燃焼狙う理論燃焼室（４Ｙ）にする各種エネルギ保存サイクル合体機関及び合体方法。
【請求項２２４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、最適温度に加熱酸素制御弁（２４Ｄ）＋燃料制御弁（２５ｂ）＋過熱蒸気制御弁（２５）を開放酸素燃料バーナー中心付近複数３０００℃以上燃焼で外周過熱蒸気（５０）を加熱一部を中心付近に吸引熱分解電気分解狙う酸素水素増大燃焼狙う理論燃焼室（４Ｙ）にする各種エネルギ保存サイクル合体機関及び合体方法。
【請求項２２５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、最適温度に加熱酸素制御弁（２４Ｄ）＋燃料制御弁（２５ｂ）＋過熱蒸気制御弁（２５）を開放酸素燃料バーナー中心付近複数３０００℃以上燃焼で外周過熱蒸気（５０）を加熱一部を中心付近に吸引熱分解電気分解狙う酸素水素増大燃焼狙う理論燃焼室（４Ｙ）にする各種エネルギ保存サイクル合体機関及び合体方法。
【請求項２２６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、最適温度に加熱酸素制御弁（２４Ｄ）＋燃料制御弁（２５ｂ）＋過熱蒸気制御弁（２５）を開放酸素燃料バーナー中心付近複数３０００℃以上燃焼で外周過熱蒸気（５０）を加熱一部を中心付近に吸引熱分解電気分解狙う酸素水素増大燃焼狙う理論燃焼室（４Ｙ）にする各種エネルギ保存サイクル合体機関及び合体方法。
【請求項２２７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、最適温度に加熱酸素制御弁（２４Ｄ）＋燃料制御弁（２５ｂ）＋過熱蒸気制御弁（２５）を開放酸素燃料バーナー中心付近複数３０００℃以上燃焼で外周過熱蒸気（５０）を加熱一部を中心付近に吸引熱分解電気分解酸素水素増大燃焼狙う酸素水素増大燃焼狙う理論燃焼室（４Ｙ）にする各種エネルギ保存サイクル合体機関及び合体方法。
【請求項２２８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、最適温度に加熱酸素制御弁（２４Ｄ）＋燃料制御弁（２５ｂ）＋過熱蒸気制御弁（２５）を開放酸素燃料バーナー中心付近複数３０００℃以上燃焼で外周過熱蒸気（５０）を加熱一部を中心付近に吸引熱分解電気分解酸素水素増大燃焼狙う酸素水素増大燃焼狙う理論燃焼室（４Ｙ）にする各種エネルギ保存サイクル合体機関及び合体方法。
【請求項２２９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、最適温度に加熱酸素制御弁（２４Ｄ）＋燃料制御弁（２５ｂ）＋過熱蒸気制御弁（２５）を開放酸素燃料バーナー中心付近複数３０００℃以上燃焼で外周過熱蒸気（５０）を加熱一部を中心付近に吸引熱分解電気分解酸素水素増大燃焼狙う酸素水素増大燃焼狙う理論燃焼室（４Ｙ）にする各種エネルギ保存サイクル合体機関及び合体方法。
【請求項２３０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋過熱蒸気を受給して、最適温度に加熱酸素制御弁（２４Ｄ）＋燃料制御弁（２５ｂ）＋過熱蒸気制御弁（２５）を開放酸素燃料バーナー中心付近複数３０００℃以上燃焼で受給過熱蒸気含む外周過熱蒸気（５０）を加熱一部を中心付近に吸引熱分解電気分解酸素水素増大燃焼狙う酸素水素増大燃焼狙う理論燃焼室（４Ｙ）にする各種エネルギ保存サイクル合体機関及び合体方法。
【請求項２３１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、酸素水素増大燃焼狙う理論燃焼室（４Ｙ）を流線型として複数直列具備の燃焼ガス（４９）噴射加速噴射の酸素合体水噴射部（８８Ｋ）にした各種エネルギ保存サイクル合体機関及び合体方法。
【請求項２３２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）を流線型として複数直列具備の燃焼ガス（４９）噴射加速噴射の酸素合体水噴射部（８８Ｋ）にした各種エネルギ保存サイクル合体機関及び合体方法。
【請求項２３３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）を流線型として複数直列具備の燃焼ガス（４９）噴射加速噴射の酸素合体水噴射部（８８Ｋ）にした各種エネルギ保存サイクル合体機関及び合体方法。
【請求項２３４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して使用する酸素合体水噴射部（８８Ｋ）にした各種エネルギ保存サイクル合体機関及び合体方法。
【請求項２３５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して使用する酸素合体水噴射部（８８Ｋ）にした各種エネルギ保存サイクル合体機関及び合体方法。
【請求項２３６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して使用する酸素合体水噴射部（８８Ｋ）にした各種エネルギ保存サイクル合体機関及び合体方法。
【請求項２３７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して酸素水素増大燃焼狙う理論燃焼室（４Ｙ）燃焼等にする酸素合体水噴射部（８８Ｋ）にした各種エネルギ保存サイクル合体機関及び合体方法。
【請求項２３８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して酸素水素増大燃焼狙う理論燃焼室（４Ｙ）燃焼等にする酸素合体水噴射部（８８Ｋ）にした各種エネルギ保存サイクル合体機関及び合体方法。
【請求項２３９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して酸素水素増大燃焼狙う理論燃焼室（４Ｙ）燃焼等にする酸素合体水噴射部（８８Ｋ）にした各種エネルギ保存サイクル合体機関及び合体方法。
【請求項２４０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋過熱蒸気を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋受給加熱蒸気を含む過熱蒸気を最適温度加熱して酸素水素増大燃焼狙う理論燃焼室（４Ｙ）燃焼等にする酸素合体水噴射部（８８Ｋ）にした各種エネルギ保存サイクル合体機関及び合体方法。
【請求項２４１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解狙いの酸素合体水噴射部（８８Ｋ）にした各種エネルギ保存サイクル合体機関及び合体方法。
【請求項２４２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解狙いの酸素合体水噴射部（８８Ｋ）にした各種エネルギ保存サイクル合体機関及び合体方法。
【請求項２４３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解狙いの酸素合体水噴射部（８８Ｋ）にした各種エネルギ保存サイクル合体機関及び合体方法。
【請求項２４４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解酸素水素増大燃焼狙いの酸素合体水噴射部（８８Ｋ）にした各種エネルギ保存サイクル合体機関及び合体方法。
【請求項２４５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解酸素水素増大燃焼狙いの酸素合体水噴射部（８８Ｋ）にした各種エネルギ保存サイクル合体機関及び合体方法。
【請求項２４６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解酸素水素増大燃焼狙いの酸素合体水噴射部（８８Ｋ）にした各種エネルギ保存サイクル合体機関及び合体方法。
【請求項２４７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で燃焼流内壁（５ｄ）外周過熱蒸気溜（９５ｃ）の過熱蒸気（５０）を加熱噴射する酸素合体水噴射部（８８Ｋ）にした各種エネルギ保存サイクル合体機関及び合体方法。
【請求項２４８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で燃焼流内壁（５ｄ）外周過熱蒸気溜（９５ｃ）の過熱蒸気（５０）を加熱噴射する酸素合体水噴射部（８８Ｋ）にした各種エネルギ保存サイクル合体機関及び合体方法。
【請求項２４９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で燃焼流内壁（５ｄ）外周過熱蒸気溜（９５ｃ）の過熱蒸気（５０）を加熱噴射する酸素合体水噴射部（８８Ｋ）にした各種エネルギ保存サイクル合体機関及び合体方法。
【請求項２５０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋過熱蒸気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で燃焼流内壁（５ｄ）外周過熱蒸気溜（９５ｃ）の受給過熱蒸気を含む過熱蒸気（５０）を加熱噴射する酸素合体水噴射部（８８Ｋ）にした各種エネルギ保存サイクル合体機関及び合体方法。
【請求項２５１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、空気（２８ａ）吸引噴射流最適箇所にも複数の流線型酸素水素増大燃焼狙う理論燃焼室（４Ｙ）具備同様に燃焼噴射する酸素合体水噴射部（８８Ｋ）にした各種エネルギ保存サイクル合体機関及び合体方法。
【請求項２５２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、空気（２８ａ）吸引噴射流最適箇所にも複数の流線型酸素水素増大燃焼狙う理論燃焼室（４Ｙ）具備同様に燃焼噴射する酸素合体水噴射部（８８Ｋ）にした各種エネルギ保存サイクル合体機関及び合体方法。
【請求項２５３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、空気（２８ａ）吸引噴射流最適箇所にも複数の流線型酸素水素増大燃焼狙う理論燃焼室（４Ｙ）具備同様に燃焼噴射する酸素合体水噴射部（８８Ｋ）にした各種エネルギ保存サイクル合体機関及び合体方法。
【請求項２５４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、酸素合体水噴射部（８８Ｋ）にして空気入口を前向き拡大した各種エネルギ保存サイクル合体機関及び合体方法。
【請求項２５５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素合体水噴射部（８８Ｋ）にして空気入口を前向き拡大した各種エネルギ保存サイクル合体機関及び合体方法。
【請求項２５６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素合体水噴射部（８８Ｋ）にして空気入口を前向き拡大した各種エネルギ保存サイクル合体機関及び合体方法。
【請求項２５７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、酸素合体水噴射部（８８Ｋ）にして空気入口を前向き拡大して直線に近付けて船底に気泡最大噴射する各種エネルギ保存サイクル合体機関及び合体方法。
【請求項２５８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素合体水噴射部（８８Ｋ）にして空気入口を前向き拡大して直線に近付けて船底に気泡最大噴射する各種エネルギ保存サイクル合体機関及び合体方法。
【請求項２５９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素合体水噴射部（８８Ｋ）にして空気入口を前向き拡大して直線に近付けて船底に気泡最大噴射する各種エネルギ保存サイクル合体機関及び合体方法。
【請求項２６０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋過熱蒸気を受給して、酸素合体水噴射部（８８Ｋ）にして空気入口を前向き拡大して直線に近付けて船底に気泡最大噴射する各種エネルギ保存サイクル合体機関及び合体方法。
【請求項２６１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、酸素水素増大燃焼狙う理論燃焼室（４Ｙ）を流線型として複数直列具備の燃焼ガス（４９）噴射加速噴射の酸素合体空気噴射部（８８Ａ）にした各種エネルギ保存サイクル合体機関及び合体方法。
【請求項２６２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）を流線型として複数直列具備の燃焼ガス（４９）噴射加速噴射の酸素合体空気噴射部（８８Ａ）にした各種エネルギ保存サイクル合体機関及び合体方法。
【請求項２６３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）を流線型として複数直列具備の燃焼ガス（４９）噴射加速噴射の酸素合体空気噴射部（８８Ａ）にした各種エネルギ保存サイクル合体機関及び合体方法。
【請求項２６４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して使用する酸素合体空気噴射部（８８Ａ）にした各種エネルギ保存サイクル合体機関及び合体方法。
【請求項２６５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して使用する酸素合体空気噴射部（８８Ａ）にした各種エネルギ保存サイクル合体機関及び合体方法。
【請求項２６６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して使用する酸素合体空気噴射部（８８Ａ）にした各種エネルギ保存サイクル合体機関及び合体方法。
【請求項２６７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して酸素水素増大燃焼狙う理論燃焼室（４Ｙ）燃焼等にする酸素合体空気噴射部（８８Ａ）にした各種エネルギ保存サイクル合体機関及び合体方法。
【請求項２６８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して酸素水素増大燃焼狙う理論燃焼室（４Ｙ）燃焼等にする酸素合体空気噴射部（８８Ａ）にした各種エネルギ保存サイクル合体機関及び合体方法。
【請求項２６９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋過熱蒸気を最適温度加熱して酸素水素増大燃焼狙う理論燃焼室（４Ｙ）燃焼等にする酸素合体空気噴射部（８８Ａ）にした各種エネルギ保存サイクル合体機関及び合体方法。
【請求項２７０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋過熱蒸気を受給して、酸素水素増大燃焼狙う理論燃焼室（４Ｙ）を流線型として複数直列具備の燃焼ガス（４９）で（４Ｙ）内壁や燃焼流内壁（５ｄ）の酸素＋燃料＋受給加熱蒸気を含む過熱蒸気を最適温度加熱して酸素水素増大燃焼狙う理論燃焼室（４Ｙ）燃焼等にする酸素合体空気噴射部（８８Ａ）にした各種エネルギ保存サイクル合体機関及び合体方法。
【請求項２７１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解狙いの酸素合体空気噴射部（８８Ａ）にした各種エネルギ保存サイクル合体機関及び合体方法。
【請求項２７２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解狙いの酸素合体空気噴射部（８８Ａ）にした各種エネルギ保存サイクル合体機関及び合体方法。
【請求項２７３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解狙いの酸素合体空気噴射部（８８Ａ）にした各種エネルギ保存サイクル合体機関及び合体方法。
【請求項２７４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解酸素水素増大燃焼狙いの酸素合体空気噴射部（８８Ａ）にした各種エネルギ保存サイクル合体機関及び合体方法。
【請求項２７５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解酸素水素増大燃焼狙いの酸素合体空気噴射部（８８Ａ）にした各種エネルギ保存サイクル合体機関及び合体方法。
【請求項２７６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で過熱蒸気吸引熱分解電気分解酸素水素増大燃焼狙いの酸素合体空気噴射部（８８Ａ）にした各種エネルギ保存サイクル合体機関及び合体方法。
【請求項２７７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で燃焼流内壁（５ｄ）外周過熱蒸気溜（９５ｃ）の過熱蒸気（５０）を加熱噴射する酸素合体空気噴射部（８８Ａ）にした各種エネルギ保存サイクル合体機関及び合体方法。
【請求項２７８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で燃焼流内壁（５ｄ）外周過熱蒸気溜（９５ｃ）の過熱蒸気（５０）を加熱噴射する酸素合体空気噴射部（８８Ａ）にした各種エネルギ保存サイクル合体機関及び合体方法。
【請求項２７９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で燃焼流内壁（５ｄ）外周過熱蒸気溜（９５ｃ）の過熱蒸気（５０）を加熱噴射する酸素合体空気噴射部（８８Ａ）にした各種エネルギ保存サイクル合体機関及び合体方法。
【請求項２８０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋過熱蒸気を受給して、夫々の内壁で酸素＋燃料＋過熱蒸気を最適温度加熱して酸素水素増大燃焼狙う理論燃焼室（４Ｙ）中心付近酸素燃料バーナー複数３０００℃以上燃焼で燃焼流内壁（５ｄ）外周過熱蒸気溜（９５ｃ）の受給過熱蒸気を含む過熱蒸気（５０）を加熱噴射する酸素合体空気噴射部（８８Ａ）にした各種エネルギ保存サイクル合体機関及び合体方法。
【請求項２８１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、空気（２８ａ）吸引噴射流最適箇所にも複数の流線型酸素水素増大燃焼狙う理論燃焼室（４Ｙ）具備同様に燃焼噴射する酸素合体空気噴射部（８８Ａ）にした各種エネルギ保存サイクル合体機関及び合体方法。
【請求項２８２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、空気（２８ａ）吸引噴射流最適箇所にも複数の流線型酸素水素増大燃焼狙う理論燃焼室（４Ｙ）具備同様に燃焼噴射する酸素合体空気噴射部（８８Ａ）にした各種エネルギ保存サイクル合体機関及び合体方法。
【請求項２８３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、空気（２８ａ）吸引噴射流最適箇所にも複数の流線型酸素水素増大燃焼狙う理論燃焼室（４Ｙ）具備同様に燃焼噴射する酸素合体空気噴射部（８８Ａ）にした各種エネルギ保存サイクル合体機関及び合体方法。
【請求項２８４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、酸素合体空気噴射部（８８Ａ）を回転して垂直上昇降下を可能にした各種エネルギ保存サイクル合体機関及び合体方法。
【請求項２８５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素合体空気噴射部（８８Ａ）を回転して垂直上昇降下を可能にした各種エネルギ保存サイクル合体機関及び合体方法。
【請求項２８６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素合体空気噴射部（８８Ａ）を回転して垂直上昇降下を可能にした各種エネルギ保存サイクル合体機関及び合体方法。
【請求項２８７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給して、酸素合体空気噴射部（８８Ａ）を回転して逆噴射を可能にした各種エネルギ保存サイクル合体機関及び合体方法。
【請求項２８８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給して、酸素合体空気噴射部（８８Ａ）を回転して逆噴射を可能にした各種エネルギ保存サイクル合体機関及び合体方法。
【請求項２８９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給して、酸素合体空気噴射部（８８Ａ）を回転して逆噴射を可能にした各種エネルギ保存サイクル合体機関及び合体方法。
【請求項２９０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋過熱蒸気を受給して、酸素合体空気噴射部（８８Ａ）を回転して逆噴射を可能にした各種エネルギ保存サイクル合体機関及び合体方法。
【請求項２９１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋高温水（５２ｂ）を受給して、気体の体積が圧力に反比例狙いの外周長大圧縮翼から中心短圧縮翼に圧縮する電気駆動の理論気体圧縮機（３Ｔ）とした各種エネルギ保存サイクル合体機関及び合体方法。
【請求項２９２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気を受給して、気体の体積が圧力に反比例狙いの外周長大圧縮翼から中心短圧縮翼に圧縮する電気駆動の理論気体圧縮機（３Ｔ）とした各種エネルギ保存サイクル合体機関及び合体方法。
【請求項２９３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋過熱蒸気を受給して、気体の体積が圧力に反比例狙いの外周長大圧縮翼から中心短圧縮翼に圧縮する電気駆動の理論気体圧縮機（３Ｔ）とした各種エネルギ保存サイクル合体機関及び合体方法。
【請求項２９４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋高温水（５２ｂ）を受給して、気体の体積が圧力に反比例狙いの外周長大圧縮翼から中心短圧縮翼に圧縮する電気駆動の理論気体圧縮機（３Ｔ）として空気を吸入圧縮する各種エネルギ保存サイクル合体機関及び合体方法。
【請求項２９５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気を受給して、気体の体積が圧力に反比例狙いの外周長大圧縮翼から中心短圧縮翼に圧縮する電気駆動の理論気体圧縮機（３Ｔ）として空気を吸入圧縮する各種エネルギ保存サイクル合体機関及び合体方法。
【請求項２９６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋過熱蒸気を受給して、気体の体積が圧力に反比例狙いの外周長大圧縮翼から中心短圧縮翼に圧縮する電気駆動の理論気体圧縮機（３Ｔ）として空気を吸入圧縮する各種エネルギ保存サイクル合体機関及び合体方法。
【請求項２９７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋高温水（５２ｂ）を受給して、気体の体積が圧力に反比例狙いの外周長大圧縮翼から中心短圧縮翼に圧縮する電気駆動の理論気体圧縮機（３Ｔ）として空気を吸入圧縮熱交換過熱蒸気を製造する各種エネルギ保存サイクル合体機関及び合体方法。
【請求項２９８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気を受給して、気体の体積が圧力に反比例狙いの外周長大圧縮翼から中心短圧縮翼に圧縮する電気駆動の理論気体圧縮機（３Ｔ）として空気を吸入圧縮熱交換過熱蒸気を製造する各種エネルギ保存サイクル合体機関及び合体方法。
【請求項２９９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋過熱蒸気を受給して、気体の体積が圧力に反比例狙いの外周長大圧縮翼から中心短圧縮翼に圧縮する電気駆動の理論気体圧縮機（３Ｔ）として空気を吸入圧縮熱交換過熱蒸気を製造する各種エネルギ保存サイクル合体機関及び合体方法。
【請求項３００】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋高温水（５２ｂ）＋過熱蒸気を受給して、気体の体積が圧力に反比例狙いの外周長大圧縮翼から中心短圧縮翼に圧縮する電気駆動の理論気体圧縮機（３Ｔ）として空気を吸入圧縮熱交換過熱蒸気を製造する各種エネルギ保存サイクル合体機関及び合体方法。
【請求項３０１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋高温水（５２ｂ）を受給して、気体の体積が圧力に反比例狙いの外周長大圧縮翼から中心短圧縮翼に圧縮する電気駆動の理論気体圧縮機（３Ｔ）として空気を吸入圧縮圧縮空気熱交換器（２Ｙ）で過熱蒸気を製造する各種エネルギ保存サイクル合体機関及び合体方法。
【請求項３０２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気を受給して、気体の体積が圧力に反比例狙いの外周長大圧縮翼から中心短圧縮翼に圧縮する電気駆動の理論気体圧縮機（３Ｔ）として空気を吸入圧縮圧縮空気熱交換器（２Ｙ）で過熱蒸気を製造する各種エネルギ保存サイクル合体機関及び合体方法。
【請求項３０３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋過熱蒸気を受給して、気体の体積が圧力に反比例狙いの外周長大圧縮翼から中心短圧縮翼に圧縮する電気駆動の理論気体圧縮機（３Ｔ）として空気を吸入圧縮圧縮空気熱交換器（２Ｙ）で過熱蒸気を製造する各種エネルギ保存サイクル合体機関及び合体方法。
【請求項３０４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋高温水（５２ｂ）を受給して、気体の体積が圧力に反比例狙いの外周長大圧縮翼から中心短圧縮翼に圧縮する電気駆動の理論気体圧縮機（３Ｔ）として空気を吸入圧縮圧縮空気熱交換器（２Ｙ）で過熱蒸気を製造供給設備（３Ｄ）に供給する各種エネルギ保存サイクル合体機関及び合体方法。
【請求項３０５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気を受給して、気体の体積が圧力に反比例狙いの外周長大圧縮翼から中心短圧縮翼に圧縮する電気駆動の理論気体圧縮機（３Ｔ）として空気を吸入圧縮圧縮空気熱交換器（２Ｙ）で過熱蒸気を製造供給設備（３Ｄ）に供給する各種エネルギ保存サイクル合体機関及び合体方法。
【請求項３０６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋過熱蒸気を受給して、気体の体積が圧力に反比例狙いの外周長大圧縮翼から中心短圧縮翼に圧縮する電気駆動の理論気体圧縮機（３Ｔ）として空気を吸入圧縮圧縮空気熱交換器（２Ｙ）で過熱蒸気を製造供給設備（３Ｄ）に供給する各種エネルギ保存サイクル合体機関及び合体方法。
【請求項３０７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋高温水（５２ｂ）を受給して、気体の体積が圧力に反比例狙いの外周長大圧縮翼から中心短圧縮翼に圧縮する電気駆動の理論気体圧縮機（３Ｔ）として空気を吸入圧縮圧縮空気熱交換器（２Ｙ）で圧縮空気＋過熱蒸気を製造供給設備（３Ｄ）に供給する各種エネルギ保存サイクル合体機関及び合体方法。
【請求項３０８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気を受給して、気体の体積が圧力に反比例狙いの外周長大圧縮翼から中心短圧縮翼に圧縮する電気駆動の理論気体圧縮機（３Ｔ）として空気を吸入圧縮圧縮空気熱交換器（２Ｙ）で圧縮空気＋過熱蒸気を製造供給設備（３Ｄ）に供給する各種エネルギ保存サイクル合体機関及び合体方法。
【請求項３０９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋過熱蒸気を受給して、気体の体積が圧力に反比例狙いの外周長大圧縮翼から中心短圧縮翼に圧縮する電気駆動の理論気体圧縮機（３Ｔ）として空気を吸入圧縮圧縮空気熱交換器（２Ｙ）で圧縮空気＋過熱蒸気を製造供給設備（３Ｄ）に供給する各種エネルギ保存サイクル合体機関及び合体方法。
【請求項３１０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価電気＋高温水（５２ｂ）＋過熱蒸気を受給して、気体の体積が圧力に反比例狙いの外周長大圧縮翼から中心短圧縮翼に圧縮する電気駆動の理論気体圧縮機（３Ｔ）として空気を吸入圧縮圧縮空気熱交換器（２Ｙ）で圧縮空気＋過熱蒸気を製造供給設備（３Ｄ）に供給する各種エネルギ保存サイクル合体機関及び合体方法。
【請求項３１１】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成とした各種エネルギ保存サイクル合体機関及び合体方法。
【請求項３１２】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として空気圧縮する各種エネルギ保存サイクル合体機関及び合体方法。
【請求項３１３】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として空気（２８ａ）圧縮する各種エネルギ保存サイクル合体機関及び合体方法。
【請求項３１４】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として外周から吸入中心に空気（２８ａ）圧縮する各種エネルギ保存サイクル合体機関及び合体方法。
【請求項３１５】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として外周から吸入中心に空気（２８ａ）圧縮水を加熱する各種エネルギ保存サイクル合体機関及び合体方法。
【請求項３１６】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として外周から吸入中心に空気（２８ａ）圧縮高温水を加熱する各種エネルギ保存サイクル合体機関及び合体方法。
【請求項３１７】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として外周から吸入中心に空気（２８ａ）圧縮過熱蒸気を加熱する各種エネルギ保存サイクル合体機関及び合体方法。
【請求項３１８】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として外周から吸入中心に空気（２８ａ）圧縮圧縮空気熱交換器（２Ｙ）で水を加熱する各種エネルギ保存サイクル合体機関及び合体方法。
【請求項３１９】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として外周から吸入中心に空気（２８ａ）圧縮圧縮空気熱交換器（２Ｙ）で高温水を加熱する各種エネルギ保存サイクル合体機関及び合体方法。
【請求項３２０】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として外周から吸入中心に空気（２８ａ）圧縮圧縮空気熱交換器（２Ｙ）で過熱蒸気を加熱する各種エネルギ保存サイクル合体機関及び合体方法。
【請求項３２１】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として圧縮空気熱交換器（２Ｙ）で過熱蒸気製造する各種エネルギ保存サイクル合体機関及び合体方法。
【請求項３２２】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として圧縮空気熱交換器（２Ｙ）で圧縮空気＋過熱蒸気製造する各種エネルギ保存サイクル合体機関及び合体方法。
【請求項３２３】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として圧縮空気熱交換器（２Ｙ）で高圧圧縮空気＋高圧過熱蒸気製造する各種エネルギ保存サイクル合体機関及び合体方法。
【請求項３２４】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として圧縮空気熱交換器（２Ｙ）で超高圧圧縮空気＋超高圧過熱蒸気製造する各種エネルギ保存サイクル合体機関及び合体方法。
【請求項３２５】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として圧縮空気熱交換器（２Ｙ）で圧縮空気＋過熱蒸気製造供給設備（３Ｄ）に供給する各種エネルギ保存サイクル合体機関及び合体方法。
【請求項３２６】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として圧縮空気熱交換器（２Ｙ）で高圧圧縮空気＋高圧過熱蒸気製造供給設備（３Ｄ）に供給する各種エネルギ保存サイクル合体機関及び合体方法。
【請求項３２７】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として圧縮空気熱交換器（２Ｙ）で超高圧圧縮空気＋超高圧過熱蒸気製造供給設備（３Ｄ）に供給する各種エネルギ保存サイクル合体機関及び合体方法。
【請求項３２８】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として圧縮空気熱交換器（２Ｙ）で液体空気＋超高圧過熱蒸気製造供給設備（３Ｄ）に供給する各種エネルギ保存サイクル合体機関及び合体方法。
【請求項３２９】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として圧縮空気熱交換器（２Ｙ）で液体酸素＋液体窒素＋超高圧過熱蒸気製造供給設備（３Ｄ）に供給する各種エネルギ保存サイクル合体機関及び合体方法。
【請求項３３０】
磁気利用軸受荷重０接近とした竪型全動翼水重力タービン（８Ｍ）極端に安価発電電気駆動の、理論気体圧縮機（３Ｔ）を気体の体積が圧力に反比例遵守として外周長大圧縮翼（８）から中心短圧縮翼（８）に圧縮する構成として圧縮空気熱交換器（２Ｙ）で電気＋液体酸素＋液体窒素＋超高圧過熱蒸気製造供給設備（３Ｄ）に供給する各種エネルギ保存サイクル合体機関及び合体方法。
【請求項３３１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給燃料噴射燃焼して、円周方向３８０度膨張過程で、燃料管（２５ａ）延長上側膨張翼群（８ｄ）複数個所より燃料噴射燃焼する各種エネルギ保存サイクル合体機関及び合体方法。
【請求項３３２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給燃料噴射燃焼して、円周方向３８０度膨張過程で、燃料管（２５ａ）延長上側膨張翼群（８ｄ）複数個所より燃料噴射燃焼する各種エネルギ保存サイクル合体機関及び合体方法。
【請求項３３３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給燃料噴射燃焼して、円周方向３８０度膨張過程で、燃料管（２５ａ）延長上側膨張翼群（８ｄ）複数個所より燃料噴射燃焼する各種エネルギ保存サイクル合体機関及び合体方法。
【請求項３３４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給燃料噴射燃焼して、円周方向３８０度膨張過程で、燃料管（２５ａ）延長上側膨張翼群（８ｄ）複数個所より燃料噴射燃焼燃焼量増大する各種エネルギ保存サイクル合体機関及び合体方法。
【請求項３３５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給燃料噴射燃焼して、円周方向３８０度膨張過程で、燃料管（２５ａ）延長上側膨張翼群（８ｄ）複数個所より燃料噴射燃焼燃焼量増大する各種エネルギ保存サイクル合体機関及び合体方法。
【請求項３３６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給燃料噴射燃焼して、円周方向３８０度膨張過程で、燃料管（２５ａ）延長上側膨張翼群（８ｄ）複数個所より燃料噴射燃焼燃焼量増大する各種エネルギ保存サイクル合体機関及び合体方法。
【請求項３３７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給燃料噴射燃焼して、円周方向３８０度膨張過程で、タービン外箱（７７ａ）との間で空気圧縮する各種エネルギ保存サイクル合体機関及び合体方法。
【請求項３３８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給燃料噴射燃焼して、円周方向３８０度膨張過程で、タービン外箱（７７ａ）との間で空気圧縮する各種エネルギ保存サイクル合体機関及び合体方法。
【請求項３３９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給燃料噴射燃焼して、円周方向３８０度膨張過程で、タービン外箱（７７ａ）との間で空気圧縮する各種エネルギ保存サイクル合体機関及び合体方法。
【請求項３４０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋過熱蒸気を受給燃料噴射燃焼して、円周方向３８０度膨張過程で、タービン外箱（７７ａ）との間で空気圧縮する各種エネルギ保存サイクル合体機関及び合体方法。
【請求項３４１】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給燃料噴射燃焼して、円周方向３８０度膨張過程で、タービン外箱（７７ａ）との間で空気圧縮夫々上側膨張翼群（８ｄ）下側膨張翼群（８ｅ）複数個所噴射する各種エネルギ保存サイクル合体機関及び合体方法。
【請求項３４２】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給燃料噴射燃焼して、円周方向３８０度膨張過程で、タービン外箱（７７ａ）との間で空気圧縮夫々上側膨張翼群（８ｄ）下側膨張翼群（８ｅ）複数個所噴射する各種エネルギ保存サイクル合体機関及び合体方法。
【請求項３４３】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給燃料噴射燃焼して、円周方向３８０度膨張過程で、タービン外箱（７７ａ）との間で空気圧縮夫々上側膨張翼群（８ｄ）下側膨張翼群（８ｅ）複数個所噴射する各種エネルギ保存サイクル合体機関及び合体方法。
【請求項３４４】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給燃料噴射燃焼して、円周方向３８０度膨張過程で、タービン外箱（７７ａ）との間で空気圧縮夫々上側膨張翼群（８ｄ）下側膨張翼群（８ｅ）複数個所噴射燃料燃焼量増大する理論膨張機関（３Ｐ）にする各種エネルギ保存サイクル合体機関及び合体方法。
【請求項３４５】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給燃料噴射燃焼して、円周方向３８０度膨張過程で、タービン外箱（７７ａ）との間で空気圧縮夫々上側膨張翼群（８ｄ）下側膨張翼群（８ｅ）複数個所噴射燃料燃焼量増大する各種エネルギ保存サイクル合体機関及び合体方法。
【請求項３４６】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給燃料噴射燃焼して、円周方向３８０度膨張過程で、タービン外箱（７７ａ）との間で空気圧縮夫々上側膨張翼群（８ｄ）下側膨張翼群（８ｅ）複数個所噴射燃料燃焼量増大する各種エネルギ保存サイクル合体機関及び合体方法。
【請求項３４７】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）を受給燃料噴射燃焼して、円周方向３８０度膨張過程で、燃料管（２５ａ）延長上側膨張翼群（８ｄ）複数個所より燃料噴射燃焼し、タービン外箱（７７ａ）との間で空気圧縮夫々上側膨張翼群（８ｄ）下側膨張翼群（８ｅ）複数個所噴射燃料燃焼量増大する各種エネルギ保存サイクル合体機関及び合体方法。
【請求項３４８】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気を受給燃料噴射燃焼して、円周方向３８０度膨張過程で、燃料管（２５ａ）延長上側膨張翼群（８ｄ）複数個所より燃料噴射燃焼し、タービン外箱（７７ａ）との間で空気圧縮夫々上側膨張翼群（８ｄ）下側膨張翼群（８ｅ）複数個所噴射燃料燃焼量増大する各種エネルギ保存サイクル合体機関及び合体方法。
【請求項３４９】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋電気＋過熱蒸気を受給燃料噴射燃焼して、円周方向３８０度膨張過程で、燃料管（２５ａ）延長上側膨張翼群（８ｄ）複数個所より燃料噴射燃焼し、タービン外箱（７７ａ）との間で空気圧縮夫々上側膨張翼群（８ｄ）下側膨張翼群（８ｅ）複数個所噴射燃料燃焼量増大する各種エネルギ保存サイクル合体機関及び合体方法。
【請求項３５０】
磁気利用軸受荷重０接近とした竪型全動翼水重力タービン（８Ｍ）極端に安価発電電気製造の、電気＋液体空気冷熱＋過熱蒸気温熱供給設備（３Ｄ）より安価液体酸素（５Ｋ）＋過熱蒸気を受給燃料噴射燃焼して、円周方向３８０度膨張過程で、燃料管（２５ａ）延長上側膨張翼群（８ｄ）複数個所より燃料噴射燃焼し、タービン外箱（７７ａ）との間で空気圧縮夫々上側膨張翼群（８ｄ）下側膨張翼群（８ｅ）複数個所噴射燃料燃焼量増大する各種エネルギ保存サイクル合体機関及び合体方法。
【請求項３５１】
磁気利用軸受荷重０接近とした竪型全動翼水重力タービン（８Ｍ）真空中超高圧垂直下方に水噴射し重力加速度加速して円筒内側動翼群（６０Ｃ）と円筒外側動翼群（６０Ｄ）を二重反転する磁力利用タービンとして発電する各種エネルギ保存サイクル合体機関及び合体方法。
【請求項３５２】
磁気利用軸受荷重０接近とした竪型全動翼水重力タービン（８Ｍ）真空中超高圧垂直下方に水噴射し重力加速度加速して複数の円筒内側動翼群（６０Ｃ）と円筒外側動翼群（６０Ｄ）を二重反転する磁力利用タービンとして発電する各種エネルギ保存サイクル合体機関及び合体方法。
【請求項３５３】
磁気利用軸受荷重０接近とした竪型全動翼水重力タービン（８Ｍ）真空中超高圧垂直下方に水噴射し重力加速度加速して複数の円筒内側動翼群（６０Ｃ）と円筒外側動翼群（６０Ｄ）を二重反転する磁力利用多数のタービンとして発電する各種エネルギ保存サイクル合体機関及び合体方法。
【請求項３５４】
磁気利用軸受荷重０接近とした竪型全動翼水重力タービン（８Ｍ）真空中超高圧垂直下方に水噴射し重力加速度加速して円筒内側動翼群（６０Ｃ）と円筒外側動翼群（６０Ｄ）を二重反転磁気装置（８５）で二重反転する磁力利用タービンとして発電する各種エネルギ保存サイクル合体機関及び合体方法。
【請求項３５５】
磁気利用軸受荷重０接近とした竪型全動翼水重力タービン（８Ｍ）真空中超高圧垂直下方に水噴射し重力加速度加速して複数の円筒内側動翼群（６０Ｃ）と円筒外側動翼群（６０Ｄ）を二重反転磁気装置（８５）で二重反転する磁力利用タービンとして発電する各種エネルギ保存サイクル合体機関及び合体方法。
【請求項３５６】
磁気利用軸受荷重０接近とした竪型全動翼水重力タービン（８Ｍ）真空中超高圧垂直下方に水噴射し重力加速度加速して複数の円筒内側動翼群（６０Ｃ）と円筒外側動翼群（６０Ｄ）を二重反転磁気装置（８５）で二重反転する磁力利用多数のタービンとして発電する各種エネルギ保存サイクル合体機関及び合体方法。
【請求項３５７】
磁気利用軸受荷重０接近とした竪型全動翼水重力タービン（８Ｍ）真空中超高圧垂直下方に水噴射し重力加速度加速して円筒内側動翼群（６０Ｃ）と円筒外側動翼群（６０Ｄ）を二重反転磁気装置（８５）で二重反転する重量支持等磁力利用タービンとして発電する各種エネルギ保存サイクル合体機関及び合体方法。
【請求項３５８】
磁気利用軸受荷重０接近とした竪型全動翼水重力タービン（８Ｍ）真空中超高圧垂直下方に水噴射し重力加速度加速して複数の円筒内側動翼群（６０Ｃ）と円筒外側動翼群（６０Ｄ）を二重反転磁気装置（８５）で二重反転する重量支持等磁力利用タービンとして発電する各種エネルギ保存サイクル合体機関及び合体方法。
【請求項３５９】
磁気利用軸受荷重０接近とした竪型全動翼水重力タービン（８Ｍ）真空中超高圧垂直下方に水噴射し重力加速度加速して複数の円筒内側動翼群（６０Ｃ）と円筒外側動翼群（６０Ｄ）を二重反転磁気装置（８５）で二重反転する重量支持等磁力利用多数のタービンとして発電する各種エネルギ保存サイクル合体機関及び合体方法。
【請求項３６０】
磁気利用軸受荷重０接近とした竪型全動翼水重力タービン（８Ｍ）発電電気製造物＋ロケット燃焼＋ジェット燃焼として酸素合体水噴射部（８８Ｋ）駆動する各種エネルギ保存サイクル合体機関及び合体方法。
【請求項３６１】
磁気利用軸受荷重０接近とした竪型全動翼水重力タービン（８Ｍ）発電電気製造物＋ロケット燃焼２箇所＋ジェット燃焼２箇所として酸素合体水噴射部（８８Ｋ）駆動する各種エネルギ保存サイクル合体機関及び合体方法。
【請求項３６２】
磁気利用軸受荷重０接近とした竪型全動翼水重力タービン（８Ｍ）発電電気製造物＋ロケット燃焼３箇所＋ジェット燃焼３箇所として酸素合体水噴射部（８８Ｋ）駆動する各種エネルギ保存サイクル合体機関及び合体方法。
【請求項３６３】
磁気利用軸受荷重０接近とした竪型全動翼水重力タービン（８Ｍ）発電電気製造物＋ロケット燃焼４箇所＋ジェット燃焼４箇所として酸素合体水噴射部（８８Ｋ）駆動する各種エネルギ保存サイクル合体機関及び合体方法。
【請求項３６４】
磁気利用軸受荷重０接近とした竪型全動翼水重力タービン（８Ｍ）発電電気製造物＋ロケット燃焼５箇所＋ジェット燃焼５箇所として酸素合体水噴射部（８８Ｋ）駆動する各種エネルギ保存サイクル合体機関及び合体方法。
【請求項３６５】
磁気利用軸受荷重０接近とした竪型全動翼水重力タービン（８Ｍ）発電電気製造物＋ロケット燃焼６箇所＋ジェット燃焼６箇所として酸素合体水噴射部（８８Ｋ）駆動する各種エネルギ保存サイクル合体機関及び合体方法。
【請求項３６６】
磁気利用軸受荷重０接近とした竪型全動翼水重力タービン（８Ｍ）発電電気製造物＋ロケット燃焼＋ジェット燃焼として酸素合体空気噴射部（８８Ａ）駆動する各種エネルギ保存サイクル合体機関及び合体方法。
【請求項３６７】
磁気利用軸受荷重０接近とした竪型全動翼水重力タービン（８Ｍ）発電電気製造物＋ロケット燃焼２箇所＋ジェット燃焼２箇所として酸素合体空気噴射部（８８Ａ）駆動する各種エネルギ保存サイクル合体機関及び合体方法。
【請求項３６８】
磁気利用軸受荷重０接近とした竪型全動翼水重力タービン（８Ｍ）発電電気製造物＋ロケット燃焼３箇所＋ジェット燃焼３箇所として酸素合体空気噴射部（８８Ａ）駆動する各種エネルギ保存サイクル合体機関及び合体方法。
【請求項３６９】
磁気利用軸受荷重０接近とした竪型全動翼水重力タービン（８Ｍ）発電電気製造物＋ロケット燃焼４箇所＋ジェット燃焼４箇所として酸素合体空気噴射部（８８Ａ）駆動する各種エネルギ保存サイクル合体機関及び合体方法。
【請求項３７０】
磁気利用軸受荷重０接近とした竪型全動翼水重力タービン（８Ｍ）発電電気製造物＋ロケット燃焼５箇所＋ジェット燃焼５箇所として酸素合体空気噴射部（８８Ａ）駆動する各種エネルギ保存サイクル合体機関及び合体方法。
【請求項３７１】
磁気利用軸受荷重０接近とした竪型全動翼水重力タービン（８Ｍ）発電電気製造物＋ロケット燃焼６箇所＋ジェット燃焼６箇所として酸素合体空気噴射部（８８Ａ）駆動する各種エネルギ保存サイクル合体機関及び合体方法。
【発明の詳細な説明】
【技術分野】
【０００１】
本発明真空中重力加速度超高速対応内外夫々円筒軸装置に環状タービン翼群嵌合の、竪型全動翼水重力タービン８Ｍ発電は、反発永久磁石９Ｂ＋吸引永久磁石９Ｃで軸受荷重を０に近付け、歯車外周多極着磁した二重反転磁気装置８５＋横軸１ｈで次々に反転して、振動低減落差８００ｍに１００組１台等で発電機発電する、既存揚水発電に地球最大未利用再生可能エネルギの、真空度上昇中の重力加速度追加＋音速等噴射追加＋タービン数無制限落差無制限追加して、例えばウォータージェット加工機水噴射速度マッハ３に近付けた水噴射速度や、落差５００〜８００ｍにタービン１００台等既存揚水発電の８００倍発電量狙いにし、ボイラや原子炉全廃の燃料費０資源価格０実験が必要な発電として、水重力タービン８Ｍ発電電気駆動１〜複数段熱ポンプ１Ｇや太陽光加熱器２１とし、太陽光加熱の空気を圧縮高温として、１〜複数段圧縮熱回収器２Ｃで熱回収分割保存する熱製造にし、２４〜２００ＭＰａ過熱蒸気５０温熱＋液体空気２８ａ冷熱に分割保存して、電気＋液体空気冷熱＋過熱蒸気温熱供給設備３Ｄ無限用途対応とし、例えば船舶や車両や飛行機等は液体酸素て受給して、圧縮容積仕事率を空気圧縮の１／６００×２１／１００＝２１／６００００容積仕事率にし、液体酸素や水の圧縮圧力２０倍等を容易として、理論膨張機関３Ｐの回転力駆動や、酸素合体空気噴射部８８Ａや酸素合体水噴射部８８Ｋの合体噴射推進にし、船舶の合体噴射推進では自然現象高速化２ａ海水に窒素や酸素やＣＯ２を供給微生物や海草類増大して、食物連鎖等で魚類等人類の食料を大増大し、飛行機や自動車駆動ではＣＯ２排気１／１０や燃料費１／１０や１／５０万経費宇宙到達狙い等、飛行機や船舶は１０倍速度狙い等、各種エネルギ保存サイクル合体機関や各種エネルギ保存合体方法の技術に関する。
【０００２】
既存世界最多の自動車駆動往復機関は空気圧縮で膨大な燃料消費しており、竪型全動翼水重力タービン８Ｍ真空中水重力加速度発電電気製造の、電気＋液体空気冷熱＋過熱蒸気温熱供給設備３Ｄとして供給、例えば過熱蒸気は永久凍土地下や海底のメタンハイドレートに注入、メタンと高温水に分割メタンは液体窒素冷却液体メタンで回収として、液体酸素室５Ｋに液体酸素５Ｋを受給し、液体酸素５Ｋの圧縮にして、圧縮容積仕事率を空気圧縮の２１／６００００容積仕事率にして２４〜２００ＭＰａ超高圧圧縮噴射にし、液体酸素５Ｋ＋液体燃料１ｂ＋水５２ａを超高圧に圧縮理論燃焼室４Ｙ内周等で加熱して、超高温や最適温度に加熱して理論燃焼室４Ｙに夫々を噴射する過程で燃料噴射燃焼し、例えばアセチレン酸素バーナー複数中心付近燃焼で外周付近高圧高温過熱蒸気５０を加熱して、酸素アセチレン炎３０００℃以上水の熱分解狙い酸素水素増大燃焼の各種研究にし、理論燃焼室４Ｙで超高圧の燃焼ガス４９＋過熱蒸気５０として、高圧高温燃焼ガス制御弁５ａ開放や燃焼ガス噴射ノズル６Ｙより噴射し、理論膨張機関３Ｐを駆動して、自動車や耕耘機等各種車両類やプロペラ７Ａや回転翼７Ｂやスクリュウ７Ｃを駆動し、各種車両類やプロペラ飛行機やスクリュウ船舶を駆動して、燃料費０発電電気製造の液体酸素５Ｋ使用により燃料費１／１０や１０倍速度狙いとし、利益率抜群世界一狙う、各種エネルギ保存サイクル合体機関及び合体方法の技術に関する。
【０００３】
既存ジェット機ガスタービンも空気圧縮で膨大な燃料消費して、回転出力や噴射推進出力を僅少とし、空気抵抗０１日に地球を１６周等宇宙飛行が不可能なため、宇宙ロケットとジェットを合体した液体圧縮の酸素合体空気噴射部８８Ａ噴射推進狙いとして、竪型全動翼水重力タービン８Ｍ発電電気駆動多数の１〜複数段二重反転圧縮機３Ｔ等熱ポンプ１Ｇ＋太陽光加熱器２１熱製造により、２４〜２００ＭＰａの過熱蒸気温熱５０＋液体空気冷熱２８ａに分割保存し、電気＋液体空気冷熱＋過熱蒸気温熱供給設備３Ｄとして、飛行機の噴射推進は液体酸素５Ｋ＋液体燃料１ｂ＋水５２ａで受給し、液体酸素圧縮により圧縮容積仕事率を空気圧縮の２１／６００００容積仕事率超高圧圧縮して、液体酸素制御弁５Ｔ＋水制御弁５Ｑ＋液体燃料制御弁１Ｋを開放、夫々を酸素合体空気噴射部８８Ａ内周や理論燃焼室４Ｙ内周等で加熱して最適温度にし、燃料制御弁２５ｂ＋酸素制御弁２４Ｄ＋過熱蒸気制御弁２５を開放して、夫々を１以上の理論燃焼室４Ｙに噴射燃焼して過熱蒸気熱分解燃焼等に挑戦し、例えばアセチレン酸素バーナー複数中央燃焼３３００℃以上で熱分解電気分解狙いとして、過熱蒸気燃焼狙い＋過熱蒸気による理論燃焼室４Ｙの保護燃焼＋燃焼量増大噴射出力増大とし、同様に燃焼流複数段理論燃焼室４Ｙ燃焼や吸引空気流複数理論燃焼室４Ｙ燃焼噴射推進にして、燃焼ガス４９や過熱蒸気５０を２４〜２００ＭＰａ噴射前方の空気を吸引噴射し、宇宙到達費用を既存の１／５０万狙いにして、燃料費０に近い宇宙飛行で１日に地球を１６周する等地球上何処でも日帰り旅行を可能にし、各種宇宙往還飛行機類で利益率抜群世界一狙う、各種エネルギ保存サイクル合体機関及び合体方法の技術に関する。
【０００４】
既存船舶も空気圧縮で膨大な燃料消費して回転出力や噴射推進出力を僅少とし、低速移動に膨大な燃料を消費しているため改良し、液体酸素圧縮で圧縮容積仕事率を空気圧縮の２１／６００００容積仕事率にして、液体空気製造の空気圧縮機も理論最良の二重反転圧縮機３Ｔ使用追加とし、竪型全動翼水重力タービン８Ｍ発電電気駆動１〜複数段二重反転圧縮機３Ｔ等熱ポンプ１Ｇ圧縮として、太陽光加熱器２１太陽光加熱の空気を圧縮高温とし、１〜複数段圧縮熱回収器２Ｃで熱回収分割保存する熱製造にして、２４〜２００ＭＰａ過熱蒸気５０温熱＋液体空気２８ａ冷熱に分割保存し、電気＋液体空気冷熱＋過熱蒸気温熱供給設備３Ｄとして、液体酸素５Ｋ＋液体燃料１ｃ＋水５２ａを受給ポンプ圧縮２４〜２００ＭＰａとし、液体酸素制御弁５Ｔ＋液体燃料制御弁１Ｋ＋水制御弁５Ｑを開放して、酸素合体水噴射部８８Ｋ内周や理論燃焼室４Ｙ内周で夫々最適温度に加熱し、酸素合体水噴射部８８Ｋや理論膨張機関３Ｐに噴射夫々を水噴射駆動や回転駆動して、酸素合体水噴射部８８Ｋの噴射推進や理論膨張機関３Ｐのスクリュウ７Ｃ回転推進にし、既存船舶速度の１０倍速度や１／１０燃料費狙いとして、スクリュウ推進排気の過程では簡単ウォータージェット推進選択可能とし、噴射推進の過程で自然現象高速化して海中に酸素や窒素やＣＯ２等を供給して、微生物や植物プランクトンや海草類やサンゴや魚類等を増殖人類の食物を増大し、利益率抜群世界一狙う、各種エネルギ保存サイクル合体機関及び合体方法の技術に関する。
【背景技術】
【０００５】
洗脳皆無の小学校理科で考えると、既存最良蒸気タービン発電の大気圧同速度同容積仕事率ｋｇ重ｍ／秒が、竪型全動翼水重力タービン８Ｍ仕事率の１／１７００と僅少に加えて、蒸気速度を堰止めて仕事皆無の静翼を動翼と交互に半分堰止め具備して、蒸気速度を１／１００に近付けており加えて気体の体積が圧力に反比例するため、２４０気圧から大気圧まで２４０倍容積対応更に３０、４ｍｍＨｇまで２５倍容積対応の、６０００倍容積対応タービン翼が必要なため、理論的には高圧部蒸気速度が無茶苦茶低速で大革命が必要な背景があり、タービン翼面積対応に加えて、発電熱量全部で海水温度を７度上昇して海面全部を温度上昇自然現象不可能にし、上限の無い異常気象を増大し、５０〜１００年前後海水の豪雨等で人類が絶滅に近付く危険を増大中です。緑の地球は奇跡の産物で他の星に近付く危険が大きく、発電所側説明では海水温度上昇が７度以下なら環境に影響皆無としておりますが、例えば海水温度が３０度の海域で７度上昇を継続すると、台風風速が３００ｍ／秒等になり海水の集中豪雨塩の被覆等で人類が絶滅する危険や、海面全部温度上昇して冬場に海面冷却海底に窒素や酸素やＣＯ２等の栄養分を供給していた自然現象を不可能にし、海中微生物や植物プランクトンや海草類を激減魚類等人類の海中食物も限り無く激減しており、中国が１０％成長を続けると、海水温度上昇量は１０年で現在の２倍２０年で４倍と加速度的に増大して、最悪予想では台風や季節風や海上竜巻の風速が１００ｍ／秒等となり、海水を上空に吸引海水の集中豪雨として日本の農業や林業や居住地域が０に近付く等、５０年前後で日本居住が困難になるため、手遅れ前に既存技術最悪部分に対応した技術開発が必要な背景がある。
【０００６】
大気圧同速度同容積仕事率ｋｇ重ｍ／秒を、既存蒸気タービン発電の１７００倍水仕事率にして、真空中水重力加速度発電にすると、同速度１／１００容積仕事率が既存蒸気タービン発電の１７倍仕事率発電ですが、高さ５００ｍ以上に１００台で１７００倍発電量等膨大な発電量が予想され、水資源は膨大で深層海洋水を使用すると副産物も多く、燃料費０発電の無限大発電にし、竪型全動翼水重力タービン８Ｍ発電円筒内側動翼群６０Ｃ円筒外側動翼群６０Ｄとして、夫々円筒組立固定動翼群を含めて全自動加工容易や組立容易や部品数１／１０等にし、１／１０部品全自動加工１００台組立で１７００倍発電量狙いにして、地球最大の真空中重力加速度加速の水重力エネルギで駆動し、安価大量の水資源による燃料費０発電で安価電気の用途拡大に移行して、太陽光加熱器２１により空気を太陽光加熱し、水重力タービン８Ｍ燃料費０発電電気駆動の、１〜複数段二重反転圧縮機３Ｔ等熱ポンプ１Ｇで複数回圧縮複数回熱回収して、２４〜２００ＭＰａ過熱蒸気温熱５０＋液体空気冷熱２８ａに分割保存し、電気＋液体空気冷熱＋過熱蒸気温熱供給設備３Ｄより供給して、液体酸素室５Ｋや蓄電池等に受給し、液体空気駆動の自動車や飛行機や船舶を１／１０燃料費駆動や１０倍速度駆動にして、極端に安価な発電の蓄電池駆動や電気駆動や、ＣＯ２排気僅少の地球温暖化防止が得られる背景がある。
【０００７】
高校や大学では既存エンジンを理論最良エンジンと説明しており、洗脳皆無の小学校理科に戻って理論最良エンジンを考えると、仕事率の単位がｋｇ重ｍ／秒等重量×速度のため、重い物質を高速度にして回転出力発生が理論最良エンジンですが考えた痕跡が皆無という背景がある。そこで例えば竪型全動翼水重力タービン８Ｍ発電にすると燃料費０安価発電になる背景があり、日本近海や永久凍土地下に眠る膨大なメタンハイドレートを加熱する場合を、小学校理科で考えると燃料費０加熱が最良です。そこで燃料費０発電電気駆動太陽光加熱器２１にして、太陽光で加熱の空気２８ａを燃料費０発電電気駆動の、１〜複数段二重反転圧縮機３Ｔ等熱ポンプ１Ｇや１〜複数段圧縮熱回収器２Ｃで、複数回圧縮複数回熱回収し、冷熱の液体酸素５Ｋや液体窒素５Ｌ＋温熱の過熱蒸気５０に分割保存して、温熱利用無限大の過程で例えば、永久凍土地下のメタンハイドレートに過熱蒸気５０を注入メタンと水に分割し、メタンを液体窒素冷却液体メタンで回収して過熱蒸気注入を永遠に継続して、メタン回収囲い内を適温で水滴の多い牧草地放牧とし、人類の食糧増大温熱利用無限大にして、液体空気駆動の自動車や船舶や宇宙往還機全盛として宇宙到達費用１／５０万狙いにし、船舶駆動の過程では自然現象高速化２ａして、微生物や海草類やサンゴ等を増殖食物連鎖等で魚類等人類の食物を増大し、海水の豪雨を阻止して人類絶滅を先送り出来る背景があり。燃料費僅少で１０倍速度狙いの船舶革命や飛行機革命となって、運用利益率が既存運用利益率の１０倍等膨大となり、世界規模１００％独占した製造運用とし、雇用を増大する雇用増大革命に出来る背景がある。
【先行技術文献】
【特許文献】
【０００８】
【特許文献１】日本国特許１６０７１５１号、特許１６０９６１７号、特許１６４５３５０号、特許１９２４８８９号、特許１９１２５２２号、特許１９５９３０５号、特許１９８６１１９号、特許２６０４６３６号、１９９２年米国特許５１３３３０５号、１９９３年米国特許５２３０３０７号、１９９５年米国特許５４２９０７８号、１９９７年米国特許５７０１８６４号、ＰＣＴ国際出願番号ＰＣＴ／ＪＰ９７／０１８１４号・米国特許第６１１９６５０号、中国特許第８８１８号、ＥＵ英国特許９０２１７５号、ＰＣＴ国際出願番号ＰＣＴ／ＪＰ９７／０２２５０号・米国特許第６２６３６６４号がある。
【０００９】
【特許文献２】ＰＣＴ国際出願公開ＮＯ．ＷＯ  ２０１０／１０１０１７  ＰＣＴ／ＪＰ２０１０／０５２１７１等は、特願２００９−０４８８６９号出願日平成２１年３月３日から特願２０１０−００７８０５号出願日平成２２年１月１８日まで３２６個の出願があり、以後ＰＣＴを含めて特願２０１１−１０７９５４号出願日平成２３年９月３０日まで１５個の出願があります。
【発明の概要】
【発明が解決しようとする課題】
【００１０】
既存世界の火力原子力発電所では、発電熱量全部で海水温度摂氏７度上昇海水温度上昇量を１００年で１０００倍等とし、下降気流や上昇気流を限り無く増大して、異常乾燥山火事や砂漠化や集中豪雨や熱波や寒波等を限り無く増大し、日本近海は２０年前後で台風や季節風や竜巻を１００ｍ／秒等として、海水を上空に吸引海水の集中豪雨等により陸地に塩の被覆を設けて人類陸上食物減少の危険を増大し、冬場に海面冷却海底に栄養分を供給していた自然現象を不可能として、微生物や植物プランクトンや海草類やサンゴ等を激減、食物連鎖等により魚類を１／１００等に激減人類の海中食物も限り無く減少し、旱魃や集中豪雨や台風や季節風を１００年で１０倍等に増大して、例えば台風や季節風を３００ｍ／秒等上限の無い異常気象の巨大化とし、海底岩盤膨張地震や津波を巨大化東日本の地震津波も巨大化して、人類絶滅の危険を増大のため海水の豪雨等を阻止し、海水温度上昇０等地球温暖化防止して、人類絶滅を先送りする課題がある。又最近の課題は財政赤字国の急増です。最大原因は安価労働コスト国を世界の工場として簡単に利益を得る流行蔓延で、簡単に利益が得られる半面途上国全部が過去の日本のように物真似改良で世界一を競うため、安価優良製品続出して先進国製造設備壊滅財政赤字増大雇用壊滅の危険があり、今の先進国経済危機は初期段階のため先進国利益率上昇発明が急務で、物真似改良が可能な発明実施は時代遅れと認識し、世界規模１００％独占を永遠に続ける発明品の極秘製造極秘運用として、利益率抜群の世界一永遠にする課題がある。
【課題を解決するための手段】
【００１１】
竪型全動翼水重力タービン８Ｍ燃料費０発電安価電気駆動全部にして、太陽光加熱器２１＋１〜複数段二重反転圧縮機３Ｔ等熱ポンプ１Ｇ＋１〜複数段圧縮熱回収器２Ｃにより熱製造し、電気＋液体空気冷熱＋過熱蒸気温熱供給設備３Ｄとして、受給した液体酸素５Ｋを圧縮して空気圧縮の２１／６００００容積圧縮仕事率とし、超高圧燃焼や超高温燃焼が容易な理論燃焼室４Ｙとして、例えば酸素アセチレンバーナー複数中心付近燃焼で外周付近高圧高温過熱蒸気５０を加熱し、酸素アセチレン炎３０００℃以上燃焼で過熱蒸気の熱分解狙い酸素水素増大燃焼狙いにして、４Ｙ駆動の理論膨張機関３Ｐや酸素合体水噴射部８８Ｋや酸素合体空気噴射部８８Ａとし、自動車等車両類や船舶類や飛行機類を回転力駆動や噴射推進駆動して、船舶類噴射推進駆動では自然現象高速化２ａし、海中に酸素や窒素やＣＯ２等を供給して、微生物や植物プランクトンや海草類やサンゴや魚類等を増殖人類の食物を増大し、飛行機はＣＯ２排気０に近い宇宙飛行全盛１日に地球を１６周する等として、地球上何処でも日帰り旅行や大気中はＣＯ２排気僅少飛行狙いとし、世界規模１００％独占して極秘製造極秘運用する発電や船舶や飛行機として、利益率抜群の世界一や新規雇用抜群の世界一にし、旱魃や集中豪雨や台風や季節風や海水の豪雨や地震津波の巨大化を阻止して、地球温暖化防止し人類絶滅を先送りする。
【発明の効果】
【００１２】
竪型全動翼水重力タービン８Ｍ燃料費０安価発電の、横軸１ｈ二重反転を１００台等に伝達する効果が非常に大きく、円筒動翼群６０Ｃ６０Ｄ２種類の理論最良タービン翼８ｃを、１００台分全自動製造で１００台製造の効果も非常に大きく、ボイラや原子炉が不要で構造が簡単になる効果も非常に大きく、既存蒸気タービン最終動翼群の羅列に近い竪型全動翼水重力タービン８Ｍ発電を、最大速度の最終動翼群と同真空駆動で比較説明すると、大気圧１００℃７６０ｍｍＨｇで水の１７００倍容積の水蒸気は、排気温度２９℃真空度３０ｍｍＨｇでボイルの法則により、７６０ｍｍＨｇ×１７００＝３０ｍｍＨｇ×Ｖ２倍容積の水蒸気となり、Ｖ２＝７６０／３０×１７００＝水の４３０００倍容積水蒸気となります。即ち既存蒸気タービン最高速度仕事率動翼群を羅列する、竪型全動翼水重力タービン８Ｍ発電が出力発生段階で遥かに優位に加えて、過熱蒸気の１／１００容積水速度で４３０倍発電量になるのに加えて、真空度上昇も遥かに優位で、真空中の重力加速度利用は更に１００台重ねた１台で４３０００倍発電量を算出に加えて、ウォータージェット加工機水噴射速度マッハ３で水噴射すると更に３倍発電量が算出される等、実験が必要ですが発電原価を１／１０等に大改革する大革命に非常に大きな効果がある。
【００１３】
緑の地球は奇跡の産物で他の星に近付く危険が大きく、例えば中国が１０％成長を１００年続けると、火力発電や原子力発電により中国近海の海水温度上昇量が１０００倍を超えるため、現在日本のゲリラ豪雨増大が海水の豪雨１０００倍等となり、現在の魚類激減が０に近付く等人類絶滅が１００年以内に急接近する可能性が強く、海水温度上昇０やＣＯ２排気０や燃料費０発電電気駆動が必要です。そこで燃料費０発電電気製造の電気＋液体空気冷熱＋過熱蒸気温熱供給設備３Ｄより液体酸素室５Ｋに受給して、燃焼用酸素の圧縮仕事率を空気圧縮の２１／６００００容積圧縮仕事率にし、理論燃焼室４Ｙ中心付近高温燃焼で過熱蒸気５０の熱分解や理論燃焼室４Ｙの保護として、理論燃焼室４Ｙにより理論膨張機関３Ｐや酸素合体水噴射部８８Ｋや酸素合体空気噴射部８８Ａを、最も効率良く駆動出来る効果があり、自動車や船舶や飛行機を燃料費１／１０や１０倍速度等が狙える効果に加えて、宇宙到達経費を既存宇宙ロケットの１／５０万経費狙いに出来る効果があり、車輪やスクリュー７Ｃやプロペラ７Ａや回転翼７Ｂを理論膨張機関３Ｐ駆動し、船舶や飛行機や自動車等を回転力駆動して、船舶噴射推進駆動では自然現象高速化２ａし、水中微生物のＣＯ２等の消化能力を森林の数万倍狙い等に増大する効果が大きく、植物プランクトンや海草類やサンゴ等を増殖して、食物連鎖等で魚類等人類の海中食物を大増大し、砂漠化や旱魃や集中豪雨や台風や季節風や地震津波等の巨大化を阻止して、人類で最も重要な人類絶滅を先送りし、利益率抜群世界一を狙える効果がある。
【００１４】
飛行機駆動は、燃料費０竪型全動翼水重力タービン８Ｍ発電電気駆動の、電気＋液体空気冷熱＋過熱蒸気温熱供給設備より液体酸素を受給し、液体酸素５Ｋ＋液体燃料１ｃ＋水５２ａを超高圧圧縮して、液体燃料制御弁１Ｋ＋液体酸素制御弁５Ｔ＋水制御弁５Ｑを開放最適温度に加熱し、酸素ガス＋燃料ガス複数個所中心付近混合噴射着火燃焼外周高圧高温過熱蒸気を過熱して、最高温度燃焼理論燃焼室４Ｙ保護燃焼過熱蒸気熱分解燃焼狙い酸素水素増大燃焼狙いにし、酸素合体空気噴射部８８Ａを駆動して、宇宙到達費用を既存宇宙ロケットの１／５０万経費狙いにし、同一燃料費１０倍噴射推進出力で宇宙利用全盛を狙う効果があり、例えば噴射推進出力を既存ジェット機の１００倍圧力１０倍熱量噴射短時間１０００倍噴射推進出力狙いとして、大気中は燃料費僅少のプロペラ飛行や回転翼飛行や噴射推進狙いにし、水蒸気噴射速度や燃焼ガス噴射速度が真空中で最大のため、既存宇宙ロケット地上大量噴射は最悪と考え、既存航空機最高飛行高度付近より、５０〜２００ＭＰａの高圧高温燃焼ガス５Ｍ＋高圧高温水蒸気５Ｎの噴射量増大にして、１日に地球を１６周する等とし、地球上何処でも日帰り旅行が可能な宇宙利用全盛を狙える効果がある。
【図面の簡単な説明】
【００１５】
【図１】竪型全動翼水重力タービン８Ｍの１ｈ９Ｃ９Ｂの説明図（実施例１）
【図２】円筒動翼群６０Ｃ６０Ｄの６０Ｅ６０Ｆ６０Ｇ６０Ｈの説明図（実施例２）
【図３】電気＋液体冷熱＋温熱供給設備３Ｄの太陽光加熱器２１の説明図（実施例３）
【図４】理論気体圧縮機３Ｔの９Ｂ９Ｃ９Ｄ９Ｅ６Ｆ６Ｇ６Ｈの説明図（実施例４）
【図５】理論膨張機関３Ｐの５ｂ６Ｘ６Ｙ９Ｂ９Ｃ９Ｄ９Ｅ５の説明図（実施例５）
【図６】酸素合体水噴射部８８Ｋの説明図（実施例６）
【図７】酸素合体空気噴射部８８Ａの説明図（実施例７）
【図８】理論膨張機関自動車４Ｋの説明図（実施例８）
【図９】酸素合体スクリュー船舶３９Ｈの説明図（実施例９）
【図１０】酸素合体スクリュー噴射船舶３９Ｋの説明図（実施例１０）
【図１１】酸素合体噴射船舶３９Ｊの説明図（実施例１１）
【図１２】酸素合体噴射飛行機３９Ｌの説明図（実施例１２）
【図１３】酸素合体プロペラ飛行機３９Ｍの説明図（実施例１３）
【発明を実施するための形態】
【００１６】
既存蒸気タービン発電等洗脳で長期間真空中の重力加速度利用が阻止され、１００台重ねた１台で既存蒸気タービン発電１台の４３０００倍発電量狙い等を阻止して、例えば既存最良蒸気タービン発電の大気圧同速度同容積仕事率ｋｇ重ｍ／秒を、水仕事率の１／１７００と僅少にし、静翼を動翼と交互に設けて堰き止めて回転出力を０に近付け、蒸気タービン発電の駆動熱量全部で海水温度７度上昇魚類激減、海底岩盤を膨張地震や津波を巨大化し、２０年前後で日本近海の台風や季節風や海上竜巻の上昇気流を巨大化１００ｍ／秒等にして、海水を上空に吸引海水の豪雨が予想される等、５０〜１００年前後で陸地に塩の被覆を設けて食糧激減人類絶滅が急接近する危険があります。即ち既存技術の致命的欠点多数で発明が膨大になり過ぎるため、発明を符号の説明に記載すると共に、先の出願で再三説明した部分は省略し、横軸１ｈ二重反転竪型全動翼水重力タービン８Ｍ以外を３種類実施例で代用説明して、常識を省略した発明の具体化に挑戦します。
【実施例１】
【００１７】
図１竪型全動翼水重力タービン８Ｍ発電量がｋｇ重ｍ／秒に比例するため、内側軸装置６０Ａ外側軸装置６０Ｂに夫々反発永久磁石９Ｂ吸引永久磁石９Ｃを具備し、夫々の重量を反発力や吸引力により０に近付け軸受荷重を０接近にして、リング型両面２極着磁複数具備で回転速度や回転外径の無限増大狙いにし、比重大物質上昇装置２Ｆにより水３Ｅを５００〜８２８ｍ等上昇して、比重大物質加速機６Ｗで水３Ｅをマッハ３以上噴射狙いの噴射にし、水３Ｅの重力加速度加速真空加速の円筒内側動翼群６０Ｃ円筒外側動翼群６０Ｄ回転にして、横軸１ｈ歯車で二重反転次々に１００組等駆動する竪型全動翼水重力タービン８Ｍ発電にし、内側軸装置６０Ａ外側軸装置６０Ｂに円筒部を夫々具備して、全自動加工容易や組立容易にし、重力加速度加速真空加速駆動する動翼群を円筒環状組立９Ａに嵌合構成して、円筒内側動翼群６０Ｃや円筒外側動翼群６０Ｄとして横軸１ｈ二重反転駆動し、空気抽出器５１を気体専用冷却室１１Ｄに具備水の摩擦熱を冷却最高真空にして、製造過程では円筒内側動翼群６０Ｃや円筒外側動翼群６０Ｄ夫々を図２のように、入口固定外翼６０Ｅ＋入口固定内翼６０Ｆ＋外側環状翼６０Ｇ＋内側環状翼６０Ｈ＋出口固定外翼６０Ｊ＋出口固定内翼６０Ｋとし、６部品を夫々全自動鋳造や全自動加工や超硬合金表面処理等で１００組製造等として、円筒環状組立９Ａ等安価大量生産容易とボイラや原子炉不要にし、重量を支持する永久磁石や電磁石を含む推力軸受８０ａや軸受８０として、水を真空加速する重力加速部１ｇを具備し、重力加速部１ｇ継ぎ手には発電機１を駆動する横軸１ｈ貫通穴を具備して、発電機１をタービン外箱７７ａの外で複数駆動とし、多段竪型全動翼水重力タービン８Ｍ回転方向交互駆動して、重力加速部１ｇ加速により次のタービン８Ｍを駆動次々に横軸１ｈ交互駆動し、構造簡単安価な電気製造物無限多や電気駆動無限多にして、利益率抜群世界一の各種エネルギ保存サイクル合体機関発電及び合体方法発電にする。
【００１８】
竪型全動翼水重力タービン８Ｍ発電は、６部品を２種類の円筒環状組立９Ａで１組として、タービン外箱７７ａ内に既存最高建築物８２８ｍに１００〜２００組等垂直具備で１台とし、最下部内側軸装置６０Ａや外側軸装置６０Ｂの大重量を支える推力軸受８０ａは特別仕様として、軸受８０は普通仕様として夫々横軸１ｈ歯車で二重反転歯車装置８５Ｙを構成し、円筒内側動翼群６０Ｃ円筒外側動翼群６０Ｄをタービン毎交互回転の二重反転駆動して、共振を相殺したタービン駆動で振動や騒音を僅少とし、比重大物質加速器６Ｗによるウォータージェット加工機水噴射速度のマッハ３〜１噴射速度水３Ｅ噴射として、マッハ３等噴射で真空中重力加速度加速効果最高として円筒内側動翼群６０Ｃ円筒外側動翼群６０Ｄに噴射し、夫々を横軸１ｈ二重反転駆動発電してマッハ３〜１速度を維持加速して、次のタービンを駆動して落差を有効利用する竪型全動翼水重力タービン８Ｍ発電にし、熱帯砂漠地帯等蒸留水最大量生産する場合は、比重大物質加速機６Ｗ具備を１組毎に近付けた水３Ｅ噴射として、蒸留水製造量や摩擦熱気化水の冷却量に合せた比重大物質加速機６Ｗ具備量とし、水冷却して空気抽出器５１で３０ｍｍＨｇ等既存発電最高真空度以上容易として、落差８２８ｍに１００〜２００組使用とし、既存蒸気タービン発電の最終段真空度３０ｍｍＨｇ水の４３０００倍容積マッハ１速度水蒸気として、１００組重ねた１台のタービン８Ｍ発電量と比較説明すると、１／１０００容積の水をマッハ１速度噴射で４３×１００＝４３００倍水発電量となり、実験が必要な天文学的倍率の発電量になる、各種エネルギ保存サイクル合体機関燃料費０極端に安価発電にする。
【実施例２】
【００１９】
図２の図１円筒内側動翼群６０Ｃ円筒外側動翼群６０Ｄの、円筒環状組立９Ａで最も重要な構成は超撥水性として摩擦損失を最低が最重要なため、耐摩耗の撥水鍍金（３ａ）容易や運転停止時の撥水コーティング（３ｂ）容易な構成とし、内側軸装置６０Ａ＋外側軸装置６０Ｂ夫々に円筒環状組立９Ａを具備して、外側軸装置６０Ｂと円筒環状組立９Ａを入口固定外翼６０Ｅ環状嵌合組立固定で、円筒外側動翼群６０Ｄの入口動翼群を構成し、内側軸装置６０Ａと円筒環状組立９Ａを入口固定内翼６０Ｆ環状嵌合組立固定で、円筒内側動翼群６０Ｃの入口動翼群を構成して、外側軸装置６０Ｂと円筒環状組立９Ａを外側環状翼６０Ｇ環状嵌合組立で、円筒外側動翼群６０Ｄの中間動翼群を構成し、内側軸装置６０Ａと円筒環状組立９Ａを内側環状翼６０Ｈ環状嵌合組立で、円筒内側動翼群６０Ｃの中間動翼群を構成して、外側軸装置６０Ｂと円筒環状組立９Ａを外側環状翼６０Ｇ環状嵌合組立で、円筒外側動翼群６０Ｄの中間動翼群２回目を構成し、内側軸装置６０Ａと円筒環状組立９Ａを出口固定内翼６０Ｋ環状嵌合組立固定で、円筒内側動翼群６０Ｃの出口動翼群を構成して、外側軸装置６０Ｂと円筒環状組立９Ａを出口固定外翼６０Ｊ環状嵌合組立固定で、円筒外側動翼群６０Ｄの出口動翼群を構成し、６種類の円筒動翼群６０を夫々１００組以上全自動加工等で製造１台製造等として、全自動加工容易や組立容易や構造簡単やボイラや原子炉不要等で製造原価を極端に安価とし、運用利益率も燃料消費０等比較物皆無の抜群世界一にする、竪型全動翼水重力タービン８Ｍ極端に安価発電にする。
【実施例３】
【００２０】
図３の太陽光加熱器２１の熱製造は、竪型全動翼水重力タービン８Ｍ燃料費０発電極端に安価電気駆動で、安価な電気＋液体空気冷熱＋過熱蒸気温熱供給設備３Ｄにするもので、太陽光加熱器２１を水面に浮力を設け又は平地に円形鉄道を設けて具備し、太陽光を東から西に直角維持回転制御する水上装置や陸上装置として、太陽光加熱器２１には回転支持部４ｆを設けて歯車装置４ｄやローラー４ｅを具備し、円筒回転部７７Ｇとして太陽光を上下方向直角維持回転制御して、浮力や円形鉄道利用により東西方向直角維持回転制御する装置とし、太陽光を２方向直角維持回転制御して、熱吸収管４Ｈ内空気温度を最高にする装置とし、地球最大熱量の太陽光を矩形長レンズ２ｄにより直線状に集めて、焦点距離付近に熱吸収管４Ｈ具備内部空気路２８Ａ空気２８ａ温度を最高にして、外部空気路２８Ａ空気２８ａ温度も上昇し、既存のレンズ断面を直線状に延長矩形の長レンズ２ｄとして、レンズ材質全部を使用可能とし、発泡プラスチック等の断熱材２ｃを円筒回転部７７Ｇ等で囲って円筒等の長大な筒として、長大な長レンズ２ｄを継手８０Ａ＋締付具８０Ｂで密封上部を４Ｈ外部空気路２８Ａとし、２空気路２８Ａ選択吸入の１〜複数段熱ポンプ１Ｇとして吸入圧縮して、理論気体圧縮機３Ｔを熱ポンプ１Ｇとして８００〜１２００℃複数回とし、１〜複数段圧縮熱回収器２Ｃで圧縮毎熱回収を繰返して、液体空気２８ａ冷熱を液体酸素室５Ｋ＋液体窒素室５Ｌに保存し、４００℃前後５０〜２００ＭＰａ過熱蒸気５０温熱を高圧高温水蒸気室５Ｎに分割保存して、電気＋液体空気冷熱＋過熱蒸気温熱供給設備３Ｄにし各種用途に使用して、電気駆動全盛や蓄電池駆動全盛にし、電気製造物の各種温熱利用全盛や各種冷熱利用全盛にする。
【実施例４】
【００２１】
図４の理論気体圧縮機３Ｔは超大型や超高速回転や圧縮比大幅安価増大狙う、反発永久磁石９Ｂ吸引永久磁石９Ｃ圧縮空気部９Ｄ真空部９Ｅ水噴射部６Ｆ具備して、磁力＋空気圧利用で軸受荷重０接近や気化熱利用で１台の圧縮比大幅増大とし、ボイルの法則気体の体積は圧力に反比例する理論で最良狙いにして、円周長大圧縮翼から中心短圧縮翼に吸入圧縮することで吸入空気量最大狙いにし、全動翼二重反転圧縮翼の上側圧縮翼群８ｇや下側圧縮翼群８ｈで吸入空気速度最大狙いにして、組立圧縮翼群８ｊにより組立容易や吸入口面積最大容易や圧縮効率最良狙いにし、竪型全動翼水重力タービン８Ｍ燃料費０発電極端に安価電気駆動として、横軸１ｈ歯車の二重反転磁気（歯車）装置８５（８５Ｙ）により、上側圧縮翼群８ｇ下側圧縮翼群８ｈを夫々反対方向に回転する二重反転駆動にし、相対周速度を既存軸流圧縮機の３〜１０倍狙い理論最良の理論気体圧縮機３Ｔとして、最終圧縮翼６静翼６Ｇより圧縮空気熱交換器２Ｙに圧入する熱製造とし、主として太陽光加熱器２の加熱空気を、理論気体圧縮機３Ｔの熱ポンプ１Ｇで圧縮高温として、圧縮高温毎に１〜複数段圧縮熱回収器２Ｃで熱回収し、液体空気冷熱＋過熱蒸気温熱として分割保存して、電気＋液体空気冷熱＋過熱蒸気温熱の供給設備３Ｄとし、安価な過熱蒸気は炊飯やメタンの回収や温室栽培等無限加熱用途に使用として、安価な液体酸素は圧縮仕事率を空気圧縮の２１／６００００にした自動車や船舶や飛行機駆動とし、安価な液体窒素は氷製造等冷却用途無限使用等として、各種用途に使用します。
【実施例５】
【００２２】
図５の水素＋酸素増大燃焼狙う理論膨張機関３Ｐは、超大型や超高速回転等超安価回転出力狙う、反発永久磁石９Ｂ吸引永久磁石９Ｃ圧縮空気部９Ｄ真空部９Ｅ具備して、磁力＋空気圧利用で軸受荷重０接近とし、竪型全動翼水重力タービン８Ｍ燃料費０発電極端に安価電気製造の、電気＋液体空気冷熱＋過熱蒸気温熱供給設備３Ｄから、液体酸素５Ｋ＋電気＋過熱蒸気を受給して、液体酸素５Ｋを圧縮することで、圧縮容積仕事率を空気圧縮の２１／６００００容積圧縮仕事率にし、液体酸素５Ｋ＋液体燃料１ｃ＋水５２ａを２４〜２００ＭＰａ等超高圧に圧縮して、液体酸素制御弁５Ｔ＋液体燃料制御弁１Ｋ＋水制御弁５Ｑを開放理論燃焼室４Ｙ内壁で最適温度に加熱し、過熱蒸気制御弁２５＋酸素制御弁２４Ｄ＋燃料制御弁２５ｂを開放、例えば酸素アセチレンバーナー複数中心付近３０００℃以上燃焼で外周高圧高温過熱蒸気５０を加熱して、過熱蒸気５０の一部を中心付近に吸引熱分解電気分解酸素水素増大燃焼狙いにし、内壁で最適温度に加熱した過熱蒸気５０や燃料や酸素として、内壁の保護燃焼や超高圧高温燃焼にし、燃焼ガス噴射ノズル６Ｙより燃焼ガス４９等噴射して、圧縮吸入空気路５ｂ空気噴射ノズル５の圧縮空気又は吸入空気を吸引噴射し、燃料管２５ｃ燃料噴射ノズル６Ｘより燃料噴射燃焼燃焼量大幅に増大して、燃料燃焼量を増大する理論膨張機関３Ｐ駆動にし、燃焼ガス４９を高圧高温燃焼ガス４９として中心から円周方向３８０度噴射して、上側膨張翼群８ｄ下側膨張翼群８ｅ最適箇所噴射横軸１ｈ二重反転駆動とし、ボイルの法則気体の体積は圧力に反比例する理論で最良の理論膨張機関３Ｐとして、タービン外箱７７ａ組立タービン翼群８ｆより噴射する理論膨張機関３Ｐとする。
【実施例６】
【００２３】
図６の酸素合体水噴射部８８Ｋのロケット燃焼＋ジェット燃焼駆動は、竪型全動翼水重力タービン８Ｍ燃料費０発電極端に安価電気製造の、電気＋液体空気冷熱＋過熱蒸気温熱供給設備３Ｄから、液体酸素５Ｋ＋電気＋過熱蒸気を受給して、液体酸素５Ｋを圧縮することで、圧縮容積仕事率を空気圧縮の２１／６００００容積圧縮仕事率にし、液体酸素５Ｋ＋液体燃料１ｃ＋水５２ａを２４〜２００ＭＰａ等超高圧に圧縮して、液体酸素制御弁５Ｔ＋液体燃料制御弁１Ｋ＋水制御弁５Ｑを開放、理論燃焼室４Ｙ燃焼流内壁５ｄ等で最適温度に加熱し、理論燃焼室４Ｙの過熱蒸気制御弁２５＋酸素制御弁２４Ｄ＋燃料制御弁２５ｂを開放、例えば酸素アセチレンバーナー複数中心付近３０００℃以上燃焼で外周高圧高温過熱蒸気５０を加熱して、過熱蒸気５０の一部を中心付近に吸引熱分解電気分解酸素水素増大燃焼狙いにし、理論燃焼室４Ｙ等燃焼流内壁５ｄの燃料加熱管１Ｌ＋酸素加熱管５Ｆ＋水加熱管５Ｈの燃料＋酸素＋水を加熱して、最適温度の過熱蒸気を外周に燃料＋酸素複数中心付近ロケット燃焼とし、内壁の保護燃焼や超高圧高温ロケット燃焼噴射して、圧縮吸入空気路５ｂ空気吸引流に燃料噴射ノズル６Ｘ燃料噴射ジェット燃焼にし、超高圧高温ロケット燃焼＋ジェット燃焼１〜複数回として、先頭部複数過熱蒸気噴射ノズル６Ａ噴射した外周２００ＭＰａ狙い過熱蒸気５０を加熱し、中心複数直列理論燃焼室４ｙ外周等で次々過熱蒸気を加熱噴射推進出力を大増大して、ロケット燃焼＋ジェット燃焼複数加速の燃焼ガス噴射ノズル６Ｙ燃焼ガスを噴射し、２００ＭＰａ噴射狙い過熱蒸気噴射ノズル６Ａ超高速噴射して、内部燃焼ガス噴射ノズル６Ｙの燃焼ガス４９と外周の前方空気２８ａを吸引噴射し、前方の水５２ａを吸引噴射する酸素合体水噴射部８８Ｋにする、各種エネルギ保存サイクル合体機関及び合体方法にする。
【実施例７】
【００２４】
図７の酸素合体空気噴射部８８Ａのロケット燃焼＋ジェット燃焼駆動は、竪型全動翼水重力タービン８Ｍ燃料費０発電極端に安価電気製造の、電気＋液体空気冷熱＋過熱蒸気温熱供給設備３Ｄから、液体酸素５Ｋ＋電気＋過熱蒸気を受給して、液体酸素５Ｋを圧縮することで、圧縮容積仕事率を空気圧縮の２１／６００００容積圧縮仕事率にし、液体酸素５Ｋ＋液体燃料１ｃ＋水５２ａを２４〜２００ＭＰａ等超高圧に圧縮して、液体酸素制御弁５Ｔ＋液体燃料制御弁１Ｋ＋水制御弁５Ｑを開放、理論燃焼室４Ｙ燃焼流内壁５ｄ等で最適温度に加熱し、理論燃焼室４Ｙの過熱蒸気制御弁２５＋酸素制御弁２４Ｄ＋燃料制御弁２５ｂを開放、例えば酸素アセチレンバーナー複数中心付近３０００℃以上燃焼で外周高圧高温過熱蒸気５０を加熱して、過熱蒸気５０の一部を中心付近に吸引熱分解電気分解酸素水素増大燃焼狙いにし、理論燃焼室４Ｙ等燃焼流内壁５ｄの燃料加熱管１Ｌ＋酸素加熱管５Ｆ＋水加熱管５Ｈの燃料＋酸素＋水を加熱して、最適温度の過熱蒸気を外周に燃料＋酸素複数中心付近ロケット燃焼とし、内壁の保護燃焼や超高圧高温ロケット燃焼噴射して、圧縮吸入空気路５ｂ空気吸引流に燃料噴射ノズル６Ｘ燃料噴射ジェット燃焼にし、超高圧高温ロケット燃焼＋ジェット燃焼１〜複数回として、先頭部複数過熱蒸気噴射ノズル６Ａ噴射した外周２００ＭＰａ狙い過熱蒸気５０を加熱し、中心複数直列理論燃焼室４ｙ外周等で次々過熱蒸気を加熱噴射推進出力を大増大して、ロケット燃焼＋ジェット燃焼複数加速の燃焼ガス噴射ノズル６Ｙ燃焼ガスを噴射し、２００ＭＰａ噴射狙い過熱蒸気噴射ノズル６Ａ超高速噴射して、内部燃焼ガス噴射ノズル６Ｙの燃焼ガス４９と外周の前方空気２８ａを吸引噴射酸素合体空気噴射部８８Ａにする、各種エネルギ保存サイクル合体機関及び合体方法にする。
【実施例８】
【００２５】
図８の水素＋酸素増大燃焼狙う理論膨張機関３Ｐ理論燃焼室４Ｙ自動車駆動は、竪型全動翼水重力タービン８Ｍ燃料費０発電極端に安価電気製造の、電気＋液体空気冷熱＋過熱蒸気温熱供給設備３Ｄから、液体酸素５Ｋ＋電気＋過熱蒸気を受給して、液体酸素５Ｋを圧縮することで、圧縮容積仕事率を空気圧縮の２１／６００００容積圧縮仕事率にし、液体酸素制御弁５Ｔを開放液体酸素５Ｋをを液体酸素ポンプ４ｂで昇圧理論燃焼室４Ｙ内壁に供給して、水制御弁５Ｑ開放水５２ａを水ポンプ４ｃで昇圧理論燃焼室４Ｙ内壁に供給し、液体燃料制御弁１Ｋ開放液体燃料１ｃを液体燃料ポンプ４ａで昇圧理論燃焼室４Ｙ内壁に供給して、最適温度に加熱＋高圧高温過熱蒸気５０製造し、図５過熱蒸気制御弁２５＋酸素制御弁２４Ｄ＋燃料制御弁２５ｂを開放して、例えば酸素アセチレンバーナー複数中心付近３０００℃以上の燃焼にし、外周高圧高温過熱蒸気５０を加熱して、過熱蒸気５０の一部を中心付近に吸引熱分解電気分解酸素水素増大燃焼狙いにし、過熱蒸気５０により理論燃焼室４Ｙ内壁の液体酸素５Ｋ＋液体燃料１ｃ＋水５２ａを加熱して、最適温度の過熱蒸気５０や燃料や酸素や内壁の保護燃焼や超高圧高温燃焼にし、高圧高温燃焼ガス制御弁５ａを開放理論膨張機関３Ｐを駆動して、発電機１を駆動して蓄電池１Ａに蓄電して蓄電池駆動車輪４Ｊ駆動し、ＣＯ２排気１／１０燃料費１／１０運用利益率既存自動車の１０倍狙う、理論膨張機関３Ｐ自動車にする、各種エネルギ保存サイクル合体機関及び合体方法にする。
【実施例９】
【００２６】
図９酸素合体スクリュウ船舶３９Ｈの、酸素水素増大燃焼狙う理論膨張機関３Ｐ理論燃焼室４Ｙ駆動は、竪型全動翼水重力タービン８Ｍ燃料費０発電極端に安価電気製造の、電気＋液体空気冷熱＋過熱蒸気温熱供給設備３Ｄから、液体酸素５Ｋを受給電気＋過熱蒸気を選択受給して、液体酸素５Ｋの理論燃焼室４Ｙ燃焼高圧高温燃焼ガス制御弁５ａ開放理論膨張機関３Ｐ駆動は、液体酸素５Ｋを液体圧縮することで、圧縮容積仕事率を空気圧縮の２１／６００００容積圧縮仕事率にし、液体酸素５Ｋ＋液体燃料１ｃ＋水５２ａを、液体燃料ポンプ４ａ＋液体酸素ポンプ４ｂ＋水ポンプ４ｃで圧縮２４〜２００ＭＰａ等超高圧に圧縮して、液体酸素制御弁５Ｔ＋液体燃料制御弁１Ｋ＋水制御弁５Ｑを開放、理論燃焼室４Ｙ内壁等で最適温度に加熱し、図５過熱蒸気制御弁２５＋酸素制御弁２４Ｄ＋燃料制御弁２５ｂを開放、例えば酸素アセチレンバーナー複数中心付近３０００℃以上燃焼で外周高圧高温過熱蒸気５０を加熱して、過熱蒸気５０の一部を中心付近に吸引熱分解電気分解酸素水素増大燃焼狙いにし、過熱蒸気５０により理論燃焼室４Ｙ内壁の液体酸素５Ｋ＋液体燃料１ｃ＋水５２ａを加熱して、最適温度の過熱蒸気５０や燃料や酸素や内壁の保護燃焼や超高圧高温燃焼にし、高圧高温燃焼ガス制御弁５ａを開放理論膨張機関３Ｐ複数駆動を選択可能として、スクリュウ駆動して酸素合体スクリュウ船舶３９Ｈを駆動し、ＣＯ２排気１／１０燃料費１／１０運用利益率既存船舶の１０倍狙う、酸素合体スクリュウ船舶３９Ｈにする、各種エネルギ保存サイクル合体機関及び合体方法にする。
【実施例１０】
【００２７】
図１０酸素合体スクリュウ噴射船舶３９Ｋの、酸素水素増大燃焼狙う理論燃焼室４Ｙによる酸素合体水噴射部８８Ｋ理論膨張機関３Ｐ駆動は、竪型全動翼水重力タービン８Ｍ燃料費０発電極端に安価電気製造の、電気＋液体空気冷熱＋過熱蒸気温熱供給設備３Ｄから、液体酸素５Ｋを受給電気＋過熱蒸気を選択受給して、理論膨張機関３Ｐによるスクリュウ駆動は図５横軸１ｈ駆動や図９説明と同様駆動とし、酸素合体水噴射部８８Ｋに理論燃焼室４Ｙを図６説明のように移動して、空気２８ａ入口を前向き拡大して可能な限り直線に近付けた噴射推進として具備し、先頭理論燃焼室４Ｙ燃焼ガス噴射ノズル６Ｙ周囲には吸入空気路５ｂを具備して、ロケット燃焼にジェット燃焼追加船底に気泡最大噴射し、流線型理論燃焼室４Ｙ１〜複数を用途に合わせて直列具備して、液体酸素５Ｋ圧縮で空気容積圧縮仕事率の２１／６００００容積圧縮仕事率にし、図６の流線型理論燃焼室４Ｙは用途に合せて１〜複数使用して、２００ＭＰａ狙い過熱蒸気噴射で燃焼ガス＋前方の空気を吸引噴射し、水を吸引噴射して、噴射推進する大型船舶や小型船舶や高速船舶や超高速船舶にし、ロケット燃焼にジェット燃焼追加した燃焼量増大にして、酸素合体水噴射部８８Ｋ超高圧大量燃焼１００倍出力狙いとし、既存船舶の１０倍速度狙い噴射推進にして、同一速度ＣＯ２排気１／１０燃料費１／１０運用利益率既存船舶の１０倍狙う、酸素合体水噴射部８８Ｋにする、各種エネルギ保存サイクル合体機関及び合体方法にする。
【実施例１１】
【００２８】
図１１酸素合体噴射船舶３９Ｊの、酸素水素増大燃焼狙う理論燃焼室４Ｙによる酸素合体水噴射部８８Ｋ駆動は、竪型全動翼水重力タービン８Ｍ燃料費０発電極端に安価電気製造の、電気＋液体空気冷熱＋過熱蒸気温熱供給設備３Ｄから、液体酸素５Ｋを受給電気＋過熱蒸気を選択受給して、酸素合体水噴射部８８Ｋに理論燃焼室４Ｙを図６説明のように具備し、先頭理論燃焼室４Ｙ燃焼ガス噴射ノズル６Ｙ周囲には吸入空気路５ｂを具備して、燃料噴射ノズル６Ｘ複数より吸入空気等に燃料噴射燃焼し、ジェット燃焼追加する図６流線型理論燃焼室４Ｙ１〜複数を用途に合わせて選択具備として、液体酸素５Ｋ圧縮で空気容積圧縮仕事率の２１／６００００容積圧縮仕事率にし、２００ＭＰａ狙い過熱蒸気噴射で燃焼ガス＋空気を吸引噴射＋前方の水を吸引噴射して、噴射推進する大型船舶や小型船舶や高速船舶や超高速船舶にし、ロケット燃焼にジェット燃焼追加した燃焼量増大にして、酸素合体水噴射部８８Ｋ超高圧大量燃焼１００倍出力狙いとし、既存船舶の１０倍速度狙い噴射推進にして、同一速度ＣＯ２排気１／１０燃料費１／１０運用利益率既存船舶の１０倍狙う、酸素合体水噴射部８８Ｋにする、各種エネルギ保存サイクル合体機関及び合体方法にする。
【実施例１２】
【００２９】
図１２酸素合体噴射飛行機３９Ｌの、酸素水素増大燃焼狙う理論燃焼室４Ｙによる酸素合体空気噴射部８８Ａ駆動は、竪型全動翼水重力タービン８Ｍ燃料費０発電極端に安価電気製造の、電気＋液体空気冷熱＋過熱蒸気温熱供給設備３Ｄから、液体酸素５Ｋを受給電気＋過熱蒸気を選択受給して、酸素合体空気噴射部８８Ａに理論燃焼室４Ｙを図７のように具備し、先頭理論燃焼室４Ｙ燃焼ガス噴射ノズル６Ｙ周囲には吸入空気路５ｂ複数具備して、 ロケット燃焼にジェット燃焼追加する流線型理論燃焼室４Ｙ１〜複数を用途に合わせて具備し、液体酸素５Ｋ圧縮で空気容積圧縮仕事率の２１／６００００容積圧縮仕事率にして、図７のロケット燃焼＋ジェット燃焼で噴射推進し、宇宙上昇時にはロケット燃焼により宇宙に到達する宇宙往還の各種飛行機にして、酸素合体空気噴射部８８Ａ超高圧大量燃焼１００倍出力狙いとし、燃料費０に近い宇宙利用全盛１日に地球を１６周する等地球上何処でも日帰り旅行を可能にして、大気中同一速度ＣＯ２排気１／１０燃料費１／１０運用利益率既存飛行機の１０倍狙う、酸素合体空気噴射部８８Ａにする、各種エネルギ保存サイクル合体機関及び合体方法にする。
【実施例１３】
【００３０】
図１３酸素合体プロペラ飛行機３９Ｍの、酸素水素増大燃焼狙う図５理論燃焼室４Ｙ理論膨張機関３Ｐプロペラ７Ａ駆動は、竪型全動翼水重力タービン８Ｍ燃料費０発電極端に安価電気製造の、電気＋液体空気冷熱＋過熱蒸気温熱供給設備３Ｄから、液体酸素５Ｋを受給電気＋過熱蒸気を選択受給して、圧縮２４〜２００ＭＰａ等とし、液体酸素制御弁５Ｔ＋液体燃料制御弁１Ｋ＋水制御弁５Ｑを開放して、理論燃焼室４Ｙ内壁等で最適温度に加熱し、過熱蒸気制御弁２５＋酸素制御弁２４Ｄ＋燃料制御弁２５ｂを開放、例えば酸素アセチレンバーナー複数中心付近３０００℃以上燃焼で外周高圧高温過熱蒸気５０を加熱して、過熱蒸気５０の一部を中心付近に吸引熱分解電気分解酸素水素増大燃焼狙いにし、過熱蒸気５０により理論燃焼室４Ｙ内壁等の液体酸素５Ｋ＋液体燃料１ｃ＋水５２ａを加熱して、最適温度の過熱蒸気５０や燃料や酸素や内壁の保護燃焼や超高圧高温燃焼にし、燃焼ガス噴射ノズル６Ｙ中心より３８０度外周方向噴射で理論膨張機関３Ｐ駆動して、横軸１ｈによりプロペラ７Ａ駆動や回転翼７Ｂ駆動にし、大気中同一速度ＣＯ２排気１／１０燃料費１／１０運用利益率既存飛行機の１０倍狙う、プロペラ飛行機等にし図１２と合体酸素合体プロペラ噴射飛行機３９Ｎにする、各種エネルギ保存サイクル合体機関及び合体方法にする。
【産業上の利用可能性】
【００３１】
資源価格０燃料費０発電の原価を原子力発電の１／２以下狙う、竪型全動翼水重力タービン８Ｍ発電を既存揚水発電と比較説明すると、揚水発電の発電部分に、真空中の重力加速度とウォータージェット加工機の水噴射速度マッハ３を追加し、仕事率が速度に比例＋高さに比例＋１０倍速度１／１０質量垂直水駆動＋全動翼横軸１ｈ二重反転駆動で、真空中重力加速度９．８ｍ／秒の威力を最大として、世界最高建築物高さ８２８ｍに２００組垂直具備で１台発電とし、既存揚水発電と同一水量２００倍発電量等の竪型全動翼水重力タービン８Ｍ発電で、極端に安価発電にする可能性がある。
【００３２】
資源価格０燃料費０発電の原価を原子力発電の１／２以下狙う、竪型全動翼水重力タービン８Ｍ発電を既存火力原子力蒸気タービン発電と比較説明の過程で、ボイルの法則により大気圧１００℃７６０ｍｍＨｇで水の１７００倍容積の水蒸気は、排気温度２９℃真空度３０ｍｍＨｇ蒸気圧で水の４３０００倍容積水蒸気となり、既存蒸気タービン最終動翼群蒸気速度を音速と仮定すると、入口高圧動翼群蒸気速度は音速の１／１００速度以下仕事率最低のため、最高仕事率の最終動翼群と比較説明する。水の駆動容積が水蒸気２９℃容積の１／４３０００容積２９℃水駆動の場合、全動翼横軸１ｈ二重反転する６段前後動翼群駆動で同発電量となり、１／２１５容積水駆動で２００倍発電量２００台連結の１台で４００００倍発電量となる等、小学校理科で計算すると極端に安価発電を天文学的大発電量にする可能性がある。
【００３３】
竪型全動翼水重力タービン８Ｍ発電極端に安価発電の、電気製造物全盛として電気＋液体空気冷熱＋過熱蒸気温熱供給設備３Ｄより過熱蒸気を受給して、海底や永久凍土地下のメタンハイドレートに注入囲い設けてメタン回収や永久凍土地帯の牧草地放牧変換や、オイルサンド地帯やオイルシェール地帯や老朽石油採取地帯でも過熱蒸気注入し、夫々囲い設けて気化回収液化保存等として、食品会社では過熱蒸気安価受給して安価食料品大量製造等とし、農業用や工業用や産業用や鉱業用に使用して温熱利用全盛にする可能性がある。
【００３４】
竪型全動翼水重力タービン８Ｍ発電極端に安価発電の、電気製造物全盛として電気＋液体空気冷熱＋過熱蒸気温熱供給設備３Ｄより液体酸素５Ｋを受給して、液体酸素で駆動する自動車や船舶や飛行機等とし、液体酸素５Ｋを液体圧縮することで空気容積圧縮仕事率の２１／６００００容積圧縮仕事率にして、理論膨張機関３Ｐや酸素合体水噴射部８８Ｋや酸素合体空気噴射部８８Ａを駆動し、自動車ではＣＯ２排気や燃料費を１／１０に近付ける可能性があり、船舶は同一燃料費で１０倍速度に近付ける可能性があり、飛行機は宇宙到達費用を１／５０万等として、宇宙利用全盛として地球上何処でも日帰り旅行にする等、冷熱利用全盛の大革命にする可能性がある。
【符号の説明】
【００３５】
０：各種エネルギ保存サイクル合体機関（各種熱エネルギは空気温度として熱ポンプで圧縮熱回収して、液体空気冷熱＋過熱蒸気温熱に分割保存使用、重力エネルギは上昇保存噴射真空中重力加速度加速して発電電力に変換使用する各種エネルギ合体エンジン合体手段）    ０：各種エネルギ保存サイクル合体機関及び合体方法（各種熱エネルギは太陽熱や地熱で加熱等空気温度として熱ポンプで圧縮熱回収して、液体空気冷熱＋過熱蒸気温熱に分割保存使用・５００℃以下液体金属使用時は保温装置で保温保存使用・衝撃エネルギはタービン翼や小径金属球にし、シリコン樹脂被覆やフッ素樹脂被覆を設け作用時間の保存延長に使用・重力エネルギは上昇装置により上昇保存噴射真空中重力加速度加速して発電電力で変換使用する各種エネルギ合体エンジン及び各種エネルギ合体手段）  １：発電機、  １Ａ：蓄電池、  １Ｂ：圧力機関（酸素圧力歯車機関・酸素圧力往復機関・水圧力歯車機関・水圧力往復機関等液体圧縮で圧縮仕事率を１／６００として圧縮機やポンプを各種圧力機関にする）    １Ｃ：アルコール、  １Ｄ：燃料噴射ポンプ、  １Ｆ：復水ポンプ、  １Ｇ：１〜複数段熱ポンプ（熱エネルギを空気温度とし熱ポンプ（各種空気圧縮機）で複数回圧縮２Ｃの２Ｘ２Ｙ２Ｚで複数回熱回収温熱５０＋冷熱２８ａで分割保存）  １Ｋ：液体燃料制御弁、  １Ｌ：燃料加熱管、  １Ｙ：複数段燃焼室（液体酸素と液体窒素を別圧縮５０〜２００ＭＰａ燃焼ガスと窒素ガス別製造し、１Ｙに燃焼ガス噴射燃料噴射燃焼内外の水蒸気加熱を複数回実施して噴射又は排気する）  １ｂ：燃料（液体燃料＋液化可能気体燃料）  １ｂ：燃料管（燃料噴射温度が最適温度になるように具備する）      １ｃ：液体燃料、  １ｄ：水銀、  １ｇ：重力加速部、  １ｈ：横軸（外側軸装置と内側軸装置の回転方向交互にする軸）    ２：太陽光加熱器（長レンズで太陽光を直線状に集めて高温部形成吸入空気を加熱）  ２ａ：自然現象高速化（空気中では変化略０の残飯類が近くの川に移動すると一夜で０に近付く膨大な微生物量を人類の食糧増大に利用）    ２ａ：自然現象高速化（発電では海水に冷熱２８ａを混合自然現象高速化した海水を海底に供給窒素や酸素やＣＯ２等の栄養分を供給微生物増大して魚類やコンブ等食糧大増大する装置）  ２ａ：自然現象高速化（船舶では海中に窒素や酸素やＣＯ２等の栄養分を供給微生物の消化能力を森林の数万倍狙い植物プランクトンや海草等を増殖食物連鎖等により魚類やコンブ類等人類の食糧を増大）  ２ｂ：水抵抗僅少（船底に空気＋燃焼ガス＋過熱蒸気を超高速噴射して水抵抗僅少にする）  ２ｃ：断熱材、  ２ｄ：長レンズ（凸レンズ断面を直線状に延長矩形とし、複数使用で焦点距離最短レンズ幅最大狙う）    ２ｅ：水面、  ２ｇ：比重大物質加速方向、  ２Ａ：耐熱材、  ２Ｂ：熱吸収材、  ２Ｃ：１〜複数段圧縮熱回収器（熱エネルギを空気温度とし熱ポンプで複数回圧縮２Ｃの２Ｘ２Ｙ２Ｚ等各種熱交換器で複数回熱回収利用して残りを温熱５０＋液体冷熱２８ａに分割保存）    ２Ｅ：比重大物質（合金含む、白金球・金球・タングステン合金粉末焼結球・銀球・銅球・錫球・鉛球・亜鉛球・アルミニウム球・インジウム・カドミウム・ガリウム・タリウム・ビスマス等比重の大きい物質��    ２Ｅ：比重大物質（製造法は小径程衝撃エネルギが低減するため例えば溶融鋼を空気中に噴射高速衝突粉砕空気冷却水冷却で超小径鋼球等製造）  ２Ｅ：比重大物質（シリコン樹脂被覆やケイ素樹脂被覆の、被覆白金合金球・被覆金合金球・被覆タングステン合金粉末焼結球・被覆銀合金球・被覆ビスマス合金球・被覆銅合金球・被覆錫合金球・被覆鉛合金球・被覆亜鉛合金球・被覆アルミニウム合金球）    ２Ｆ：比重大物質上昇装置（重力エネルギを上昇保存）    ２Ｈ：冷熱海水混合器（海水に冷熱を混合自然現象高速化の過程で過熱蒸気気化熱を冷却復水にする装置）    ２Ｘ：空気熱交換器（空気を熱ポンプで圧縮高温として熱回収圧縮空気質量無限増大や圧力無限上昇狙う）    ２Ｙ：圧縮空気熱交換器（高温空気や燃焼ガスで空気冷熱＋過熱蒸気温熱製造する）    ２Ｚ：比重大物質熱交換器（５００度以下液体金属の温度管理等で使用）  ３ａ：撥水鍍金、  ３Ａ：撥水コーティング、  ３Ｄ：電気＋液体空気冷熱＋過熱蒸気温熱供給設備（重力発電電気で冷熱＋温熱製造し、液体酸素や液体窒素を供給自動車や船舶や飛行機を駆動や過熱蒸気で供給メタンハイドレートに注入メタンを回収等電気＋冷熱＋温熱利用全盛にする）    ３Ｅ：比重大物質（水銀や水等常温で液体の比重大物質）    ３Ｅ：比重大物質（低融点合金の５００度以下液体で安定高温液体合金）    ３Ｆ：酸素圧力往復機関（液体酸素と液体窒素と燃料を噴射燃焼５０〜２００ＭＰａ燃焼ガスとし、膨張の過程で燃料噴射多段燃焼して多段酸素圧力往復機関を駆動する）    ３Ｇ：理論燃焼歯車機関（液体酸素＋液体燃料＋水を圧縮加熱して噴射燃焼する）  ３Ｈ：往復ピストン、  ３Ｊ：理論燃焼往復機関（液体酸素＋液体燃料＋水を圧縮加熱して噴射燃焼する）  ３Ｋ：外接歯車、  ３Ｌ：複数段燃焼室、  ３Ｍ：水蒸気圧力往復機関（多段酸素圧力往復機関で水や水蒸気を多段加熱して多段水蒸気圧力往復機関を駆動する）    ３Ｎ：水蒸気圧力歯車機関（多段酸素圧力歯車機関で水や水蒸気を多段加熱して多段水蒸気圧力歯車機関を駆動する）    ３Ｐ：理論膨張機関（ボイルの法則気体の体積は圧力に反比例する理論で最良機関）  ３Ｒ：理論ガスタービン（気体の体積は圧力に反比例対応の理論最良ガスタービン）  ３Ｓ：理論蒸気タービン（気体の体積は圧力に反比例対応の理論最良蒸気タービン）  ３Ｔ：理論気体圧縮機（気体の体積は圧力に反比例対応の理論最良気体圧縮機）    ３Ｕ：理論タービン、  ３Ｖ：ポンプ機関（既存各種ポンプをエンジンで使用）  ３Ｘ：圧縮機機関（既存各種圧縮機をエンジンで使用）  ３Ｙ：二重反転機関（気体の体積は圧力に反比例対応のエンジン）  ３Ｚ：酸素圧力歯車機関（液体酸素と液体窒素と燃料噴射燃焼して５０〜２００ＭＰａ燃焼ガスとし内周外周の水や水蒸気を多段燃焼加熱して多段水蒸気圧力歯車機関を連動する）  ３ａ：撥水鍍金、  ３ｂ：撥水コーティング、  ４Ｆ：燃焼ガス往復機関、  ４Ｈ：熱吸収管（長レンズ２ｄで太陽光を熱吸収管に直線状に集めて管内空気温度を最高に加熱して菅外空気温度も上昇する）  ４Ｊ：蓄電池駆動車輪、  ４Ｋ：理論膨張機関自動車、  ４Ｗ：理論圧縮室、  ４Ｙ：理論燃焼室（水蒸気の中で高温燃焼して水の熱分解電気分解燃焼狙い化合物０狙い燃焼室���  ４Ｚ：燃焼ガス歯車機関、  ４Ｘ：タービン翼断面（断面積を拡大表面積増大）  ４ａ：液体燃料ポンプ、  ４ｂ：液体酸素ポンプ、  ４ｃ：水ポンプ、  ４ｄ：歯車装置、  ４ｅ：ローラー、  ４ｆ：回転支持部、  ５：空気噴射ノズル、  ５ａ：高圧高温燃焼ガス制御弁、  ５ｂ：圧縮吸入空気路、  ５ｄ：燃焼流内壁、  ５ｅ：超高圧酸素、  ５Ａ：給気弁、  ５Ｂ：冷却ヒレ、  ５Ｃ：排気室  ５Ｄ：排気弁  ５Ｅ：給気室    ５Ｆ：酸素加熱管、  ５Ｇ：水蒸気加熱管、  ５Ｈ：水加熱管、  ５Ｋ：液体酸素、    ５Ｋ：液体酸素室、    ５Ｌ：液体窒素、  ５Ｌ：液体窒素室、  ５Ｍ：高圧高温燃焼ガス、  ５Ｍ：高圧高温燃焼ガス室、  ５Ｎ：高圧高温水蒸気室、  ５Ｎ：高圧高温水蒸気、  ５Ｐ：水蒸気制御弁、  ５Ｑ：水制御弁、    ５Ｒ：過熱蒸気制御弁、  ５Ｓ：圧縮空気加熱管、  ５Ｔ：液体酸素制御弁、  ６：最終圧縮翼、  ６Ａ：過熱蒸気噴射ノズル、  ６Ｂ：圧縮空気噴射ノズル、  ６Ｃ：燃焼ガス水蒸気ノズル、  ６Ｅ：比重大物質噴射ノズル、  ６Ｆ：水噴射ノズル、  ６Ｇ：静翼、  ６Ｈ：排水管、  ６Ｌ：酸素噴射ノズル、  ６Ｗ：比重大物質加速機（液体比重大物質３Ｅ圧力と比重差利用して比重大物質３Ｅや２Ｅ混合噴射）  ６Ｘ：燃料噴射ノズル、６Ｘ：アフターバーナー（吸引空気流に燃料噴射冷熱２８ａ燃焼流６Ｙに合流燃焼して燃料燃焼量大増大で宇宙上昇）  ６Ｙ：燃焼ガス噴射ノズル（冷熱２８ａ燃焼流）  ６Ｚ：水蒸気噴射ノズル、  ７Ａ：プロペラ、  ７Ｂ：回転翼、  ７Ｃ：スクリュー、  ８ｃ：タービン翼（内側と外側動翼群夫々を内側と外側軸装置の円筒部に夫々嵌合組立固定する全自動製造加工狙うタービン翼）  ８ｄ：上側膨張翼群、  ８ｅ：下側膨張翼群、  ８ｆ：組立タービン翼群、  ８ｇ：上側圧縮翼群、  ８ｈ：下側圧縮翼群、  ８ｊ：組立圧縮翼群、  ８Ｈ：竪型全動翼タービン（小型大出力段落毎環状同径略同形略同長ねじ組立９回転止め固定として互いに反対方向に回転する全動翼必須に対応し、軽量化等実験最良に移行）  ８Ｈ：竪型全動翼タービン（超硬合金貼付やシリコン樹脂被覆やフッ素樹脂被覆のタービン翼選択）  ８Ｈ：竪型全動翼水重力タービン（既存蒸気タービンは静翼で堰き止め出力が０に近付くため全動翼を必須とし、仕事率が白金球の１／３．６万等僅少なため比重大物質重力使用必須とし、太陽光加熱空気等空気を１〜複数段熱ポンプ＋圧縮熱回収器で圧縮熱回収し、温熱＋冷熱に分割保存タービン駆動＋各種用途に使用）    ８Ｈ：竪型全動翼水重力タービン（温熱駆動＋冷熱駆動にすると使用落差が限定されるため落差使用無制限の場合使用）  ８Ｋ：竪型全動翼水重力タービン（横軸１ｈにより外側軸装置と内側軸装置の回転方向交互にする水重力タービン）  ８Ｌ：竪型全動翼比重大物質重力タービン（横軸１ｈにより外側軸装置と内側軸装置の回転方向交互にする比重大物質重力タービン）  ８Ｍ：竪型全動翼水重力タービン（内側動翼群外側動翼群に円筒部を設けて加工容易組み立て容易軽量化容易にする）  ８Ｎ：竪型全動翼比重大物質重力タービン（内側動翼群外側動翼群に円筒部を設けて加工容易組み立て容易軽量化容易にする）  ９：耐摩耗環状組立（８ｃを含む比重大物質流路のみ超硬合金で環状製造軽量化する嵌合組立方法）  ９Ａ：円筒���状組立（耐摩耗円筒環状組立て動翼群６種類にすることで構造簡単や部品数僅少や全自動加工容易や組立容易や軽量化容易等にする）  ９Ａ：円筒環状組立（入口固定外翼６０Ｅ＋外側環状翼６０Ｇ＋出口固定外翼６０Ｊ嵌合で円筒外側動翼群６０Ｄを構成し、入口固定内翼６０Ｆ＋内側環状翼６０Ｈ＋出口固定内翼６０Ｋ嵌合で円筒内側動翼群６０Ｃを構成する円筒部）  ９Ｂ：反発永久磁石、  ９Ｃ：吸引永久磁石、  ９Ｄ：圧縮空気部、  ９Ｅ：真空部、  １０：船体、  １０Ａ：船室、  １０ｂ：操縦室、  １０ｃ：制御室、  １０ｄ：客室、  １０ｅ：貨物室、  １１Ｄ：気体専用冷却室、  １６Ｂ：垂直軸、  ２１：太陽光加熱器（吸入空気路を熱吸収管４Ｈ内にも設けて主使用する）  ２４：燃焼ガス制御弁、  ２４Ａ：圧縮空気制御弁、  ２４Ｂ：液体酸素制御弁、  ２４Ｃ：液体窒素制御弁、  ２４Ｄ：酸素制御弁、  ２４Ｅ：窒素制御弁、  ２５：過熱蒸気制御弁、  ２５ｂ：燃料制御弁、  ２５ｃ：燃料管、  ２８ａ：空気、  ２８ａ：冷熱（空気２８ａを熱ポンプで圧縮して圧縮空気熱量の過熱蒸気５０温熱＋液体酸素や液体窒素を含む圧縮空気２８ａ冷熱に分割保存）  ２８ｂ：圧縮空気熱量、  ２８Ａ：吸入空気路、  ２８Ｂ：空気路入口、  ３８：回転案内具、  ３８ａ：飛行胴、  ３８ｂ：飛行翼、  ３８ｃ：飛行尾翼、  ３８ｄ：垂直翼、  ３８ｅ：翼前縁心、  ３８ｇ：水上翼、  ３８ｈ：浮上艇、  ３８Ｂ：空気吸引噴射船舶（８０Ｓ８０Ｔ８０Ｙ８０Ｚ具備）    ３８Ｃ：水吸引噴射船舶（８０Ｕ８０Ｘ具備）    ３９Ａ：太陽熱重力飛行機、  ３９Ｂ：太陽熱重力回転飛行機、  ３９Ｃ：太陽熱重力ヘリコプター、  ３９Ｄ：スクリュー船舶、    ３９Ｇ：太陽熱重力飛行船舶、  ３９Ｈ：酸素合体スクリュー船舶、  ３９Ｊ：酸素合体噴射船舶、  ３９Ｋ：酸素合体スクリュー噴射船舶、  ３９Ｌ：酸素合体噴射飛行機、  ３９Ｍ：酸素合体プロペラ飛行機、  ３９Ｎ：酸素合体プロペラ噴射飛行機、  ３９Ｐ：酸素合体回転翼飛行機、  ４０Ａ：方向舵、  ４９：燃焼ガス、  ５０：過熱蒸気、  ５０：過熱蒸気室、  ５０：温熱（空気２８ａを熱ポンプで圧縮して圧縮空気熱量の過熱蒸気５０温熱＋圧縮空気２８ａ冷熱に分割保存）  ５０Ａ：水蒸気、  ５０ａ：過熱蒸気噴射管、  ５１：空気抽出器、  ５
１：合流抽出器（合流するための抽出器）    ５１Ａ：空気抽出室、  ５２ａ：水、  ５２ａ：海洋深層水、  ５２ｂ：高温水、  ５２ｄ：温熱（５０から変化）  ５２ｅ：冷熱（２８ａから変化）  ５５Ｂ：変速装置、    ６０Ａ：内側軸装置（タービン翼具備装置）  ６０Ｂ：外側軸装置（タービン翼具備装置）    ６０Ｃ：円筒内側動翼群（耐摩耗円筒環状組立固定動翼群を含めて全自動加工容易組立容易にする）  ６０Ｄ：円筒外側動翼群（耐摩耗円筒環状組立固定動翼群を含めて全自動加工容易組立容易にする）  ６０Ｅ：入口固定外翼（外側動翼群を環状組立固定する入口翼）  ６０Ｆ：入口固定内翼（内側動翼群を環状組立固定する入口翼）  ６０Ｇ：外側環状翼（外側動翼群を環状組立する中間翼）  ６０Ｈ：内側環状翼（内側動翼群を環状組立する中間翼）  ６０Ｊ：出口固定外翼（外側動翼群を環状組立固定する出口翼）  ６０Ｋ：出口固定内翼（内側動翼群を環状組立固定する出口翼）  ７６：歯車装置（磁気摩擦動力伝達装置を含む）  ７７Ｂ：半筒形外箱、  ７７Ｆ：噴射部外箱、  ７７Ｇ：円筒回転部、  ７７ａ：タービン外箱、  ８０：軸受（磁気軸受＋空気軸受含）  ８０ａ：推力軸受（磁気軸受＋空気軸受含）  ８０Ａ：継手、  ８０Ｂ：締付具、  ８０Ｅ：液体合体噴射部（高圧高温燃焼ガス５Ｍ高圧高温水蒸気室５Ｎを受給して５Ｍに複数回燃料噴射燃焼して５Ｎを内周と内周外周から複数回加熱して噴射し、空気吸引噴射する）    ８０Ｆ：液体合体噴射部（高圧高温燃焼ガス５Ｍ高圧高温水蒸気室５Ｎを受給して５Ｍに複数回燃料噴射燃焼して５Ｎを内周と内周外周から複数回加熱して噴射し、空気吸引流複数か所にも燃料噴射燃焼噴射して、空気吸引噴射する）  ８０Ｖ：液体合体噴射部（高圧高温燃焼ガス５Ｍ高圧高温水蒸気室５Ｎを受給して５Ｍに複数回燃料噴射燃焼して５Ｎを内周と外周と内周外周から複数回加熱して噴射し、空気吸引流複数か所にも燃料噴射燃焼噴射して、空気吸引噴射する）  ８０Ｗ：液体合体噴射部（高圧高温燃焼ガス５Ｍ高圧高温水蒸気室５Ｎを受給して５Ｍに複数回燃料噴射燃焼して５Ｎを内周と外周と内周外周から複数回加熱して噴射し、空気吸引噴射する）  ８０Ｓ：液体空気吸引ウォータージェット（高圧高温燃焼ガス５Ｍ高圧高温水蒸気室５Ｎを受給して５Ｍに複数回燃料噴射燃焼して５Ｎを内周と外周と内周外周から複数回加熱して噴射し、空気吸引噴射して水を吸引噴射する）  ８０Ｔ：液体空気吸引ウォータージェット（高圧高温燃焼ガス５Ｍ高圧高温水蒸気室５Ｎを受給して５Ｍに複数回燃料噴射燃焼して５Ｎを内周と外周と内周外周から複数回加熱して噴射し、空気吸引流複数か所にも燃料噴射燃焼噴射して、空気吸引噴射して水を吸引噴射する）  ８０Ｕ：液体水吸引ウォータージェット（高圧高温燃焼ガス５Ｍ高圧高温水蒸気室５Ｎを受給して５Ｍに複数回燃料噴射燃焼して５Ｎを内周と外周と内周外周から複数回加熱して噴射し、水を吸引噴射する）    ８０Ｘ：液体水吸引ウォータージェット（高圧高温燃焼ガス５Ｍ高圧高温水蒸気室５Ｎを受給して５Ｍに複数回燃料噴射燃焼して５Ｎを内周と内周外周から複数回加熱して噴射し、水を吸引噴射する）    ８０Ｙ：液体空気吸引ウォータージェット（高圧高温燃焼ガス５Ｍ高圧高温水蒸気室５Ｎを受��して５Ｍに複数回燃料噴射燃焼して５Ｎを内周と内周外周から複数回加熱して噴射し、空気吸引噴射して水を吸引噴射する）  ８０Ｚ：液体空気吸引ウォータージェット（高圧高温燃焼ガス５Ｍ高圧高温水蒸気室５Ｎを受給して５Ｍに複数回燃料噴射燃焼して５Ｎを内周と内周外周から複数回加熱して噴射し、空気吸引流複数か所にも燃料噴射燃焼噴射して、空気吸引噴射して水を吸引噴射する）  ８４：二重反転磁気摩擦装置（固定部具備内側動翼群と外側動翼群を略同速度反対回転にする装置）  ８４Ｙ：二重反転歯車装置（既存技術で二重反転する装置）  ８５：二重反転磁気装置（磁石利用歯車高さ僅少から無接触にし横軸１ｈ歯車により相互逆回転にする）  ８５Ｙ：二重反転歯車装置（既存横軸１ｈ歯車により相互逆回転にする）  ８８Ａ：酸素合体空気噴射部（ロケット燃焼＋ジェット燃焼＋水蒸気噴射等と合体噴射）  ８８Ｋ：酸素合体水噴射部（ロケット燃焼＋ジェット燃焼＋水蒸気噴射等と合体噴射）  ９５ａ：燃焼ガス溜、  ９５ｂ：圧縮空気溜、  ９５ｃ：過熱蒸気溜、  １０３：冷熱回収器、
【図１】
2013104318.tif 000003
【図２】
2013104318.tif 000004
【図３】
2013104318.tif 000005
【図４】
2013104318.tif 000006
【図５】
2013104318.tif 000007
【図６】
2013104318.tif 000008
【図７】
2013104318.tif 000009
【図８】
2013104318.tif 000010
【図９】
2013104318.tif 000011
【図１０】
2013104318.tif 000012
【図１１】
2013104318.tif 000013
【図１２】
2013104318.tif 000014
【図１３】
2013104318.tif 000015